(57)【特許請求の範囲】
【請求項１】
無線通信のための方法であって、
第１のデバイスによって、送信および受信の基準タイミングに従って第１のキャリアの１つまたは複数のシンボルの第１開始タイミングおよび第１終了タイミングを決定するステップであって、１つまたは複数のシンボルの各々は固定の継続時間を有し、前記第１のデバイスは送信ポイント（ＴＰ）である、ステップと、
前記第１のデバイスによって、前記第１のキャリア上の可変継続時間の信号を生成するステップであって、可変継続時間の前記信号の第２開始タイミングは、前記基準タイミングに従って前記第１のキャリアの前記１つまたは複数のシンボルのいずれかの前記第１開始タイミングからオフセットされる、ステップと、
前記第１のキャリア上の前記第１のデバイスによって、可変継続時間の前記信号の前記第２開始タイミングにおいて、可変継続時間の前記信号を送信するステップと
を備えることを特徴とする方法。
【請求項２】
前記基準タイミングは、前記第１のデバイスの第２のキャリアの第２のタイミングであることを特徴とする請求項１に記載の方法。
【請求項３】
可変継続時間の前記信号の第２終了タイミングは、前記第１のキャリアの前記１つまたは複数のシンボルの１つの前記第１終了タイミングと整合されることを特徴とする請求項１に記載の方法。
【請求項４】
可変継続時間の前記信号の前記第２開始タイミングは、前記第１のキャリアでのクリアチャネル評価（ＣＣＡ）手順の完了、データまたは制御情報の可用性、およびネットワーク制御デバイスの指示のうちの１つに従って決定されることを特徴とする請求項１に記載の方法。
【請求項５】
前記第１のキャリア上で可変継続時間の前記信号を送信するステップは、可変継続時間の前記信号を前記第１のキャリア上の第２のデバイスに送信するステップを備え、前記第１のキャリア上の各シンボルの前記第１開始タイミングおよび第１終了タイミングは、可変継続時間の前記信号の前記送信の前に前記第２のデバイスによって取得されることを特徴とする請求項１に記載の方法。
【請求項６】
前記基準タイミングは、前記第１のデバイスの第２のキャリアへの前記第２のデバイスのタイミング同期を介して前記第２のデバイスによって取得されることを特徴とする請求項５に記載の方法。
【請求項７】
前記第１のデバイスの前記基準タイミングに従う前記第１のキャリア上の各シンボルの前記第１開始タイミングおよび前記第１終了タイミングは、前記第１のデバイスの前記第１のキャリア上のディスカバリ信号（ＤＳ）、基準信号（ＲＳ）、同期信号（ＰＳＳ／ＳＳＳ）のうちの１つに基づいて、前記第２のデバイスによって取得されることを特徴とする請求項５に記載の方法。
【請求項８】
可変継続時間の前記信号は、ベース信号の巡回拡大によって生成され、シンボルの前記第１開始および第１終了タイミングに関連する各時間インスタンスにおいて可変継続時間の前記信号の位相は決定性であり、前記ベース信号は位相の全サイクルを含み、１つまたは複数のシンボルの周期性は、前記ベース信号の周期性の倍数であることを特徴とする請求項１に記載の方法。
【請求項９】
可変継続時間の前記信号は、前記第１のデバイスによって第２のデバイスに構成され、前記構成は、前記ベース信号の情報、シンボルの前記第１開始および第１終了タイミングに関連する各時間インスタンスにおける可変継続時間の前記信号の前記位相、および前記ベース信号の前記周期性の１つまたは複数を備えることを特徴とする請求項８に記載の方法。
【請求項１０】
前記第１のデバイスによって、前記基準タイミングに従う第１のキャリアの前記１つまたは複数のシンボルの前記第１開始タイミングおよび第１終了タイミングに従って各シンボルの前記第１開始タイミングおよび第１終了タイミングで１つまたは複数のシンボルを送信するステップをさらに備えることを特徴とする請求項１に記載の方法。
【請求項１１】
無線ネットワークにおいて、送信ポイントから可変継続時間の信号を受信するためのユーザ機器（ＵＥ）における方法であって、
第１のキャリアの可変継続時間の信号の構成を送信ポイント（ＴＰ）から受信するステップであって、前記構成シグナリングは前記ＴＰから第２のキャリア上で受信される、ステップと、
前記第１のキャリアの監視を開始するための信号を受信するステップであって、前記信号は前記ＴＰから前記第２のキャリア上で受信される、ステップと、
前記第１のキャリアにおける可変継続時間の前記信号の少なくとも一部を前記ＴＰから取り込むステップと、
前記取り込まれた一部の可変継続時間の前記信号に従ってタイミング情報を決定するステップであって、前記タイミング情報は、基準タイミングに従う前記第１のキャリアの１つまたは複数のシンボルの第１開始タイミングおよび第１終了タイミングを備え、可変継続時間の前記信号の前記取り込まれた一部の第２開始タイミングは、前記１つまたは複数のシンボルのいずれかの前記第１開始タイミングからオフセットされる、ステップと
を備えることを特徴とする方法。
【請求項１２】
取り込まれた可変継続時間の信号の部分は、前記ＴＰによって送信された可変継続時間の前記信号の部分より少ない部分を備えることを特徴とする請求項１１に記載の方法。
【請求項１３】
可変継続時間の前記信号の少なくとも一部の受信の前に、前記第１のキャリア上で各シンボルの第１開始タイミングおよび第１終了タイミングを取得するステップをさらに備えることを特徴とする請求項１１に記載の方法。
【請求項１４】
前記基準タイミングは、前記ＴＰの第２のキャリア信号への前記ＵＥのタイミング同期を介して前記ＵＥによって取得されることを特徴とする請求項１１に記載の方法。
【請求項１５】
無線デバイスに信号を送信するためのネットワークデバイスであって、
プロセッサと、
前記プロセッサにより実行するためのプログラミングを格納する非一時的コンピュータ可読ストレージ媒体であって、プログラミングは、
送信および受信の基準タイミングに従って第１のキャリアの１つまたは複数のシンボルの第１開始タイミングおよび第１終了タイミングを決定するための命令であり、前記シンボルの各々は固定の継続時間を有する命令と、
前記第１のキャリア上の可変継続時間の信号を生成するための命令であり、可変継続時間の前記信号の第２開始タイミングは、前記基準タイミングに従って前記第１のキャリアの前記１つまたは複数のシンボルのいずれかの前記第１開始タイミングからオフセットされる命令と、
前記第１のキャリア上で、可変継続時間の前記信号の前記第２開始タイミングにおいて、可変継続時間の前記信号を送信するための命令と
を含む非一時的コンピュータ可読ストレージ媒体と
を備えることを特徴とするネットワークデバイス。
【請求項１６】
可変継続時間の前記信号は、周波数グリッド、タイミング、シーケンス、巡回シフト、可変継続時間の前記信号の前記送信に関するキャリア情報、複数の構成済みアンテナポートのうちの少なくとも１つに従って決定されることを特徴とする請求項１５に記載のネットワークデバイス。
【請求項１７】
無線ネットワークにおいて送信ポイントから基準信号を取得するためのネットワークデバイスであって、
プロセッサと、
前記プロセッサにより実行するためのプログラミングを格納する非一時的コンピュータ可読ストレージ媒体であって、プログラミングは、
第１のキャリアの可変継続時間の信号の構成を送信ポイント（ＴＰ）から受信するための命令であって、前記構成シグナリングは前記ＴＰから第２のキャリア上で受信される、命令と、
前記第１のキャリアの監視を開始するための信号を受信するための命令であって、前記信号は前記ＴＰから前記第２のキャリア上で受信される、命令と、
前記第１のキャリアにおける可変継続時間の信号の少なくとも一部を前記ＴＰから取り込むための命令と、
前記取り込まれた一部の可変継続時間の前記信号に従って制御情報を決定するための命令であって、タイミング情報は、基準タイミングに従う前記第１のキャリアの１つまたは複数のシンボルの第１開始タイミングおよび第１終了タイミングを備え、前記取り込まれた一部の可変継続時間の前記信号の第２開始タイミングは、前記１つまたは複数のシンボルのいずれかの前記第１開始タイミングからオフセットされる、命令と
を含む、非一時的コンピュータ可読ストレージ媒体と
を備えるネットワークデバイス。
【請求項１８】
記録されたプログラムを有するコンピュータ可読記憶媒体であって、前記プログラムは、コンピュータに請求項１ないし１４のいずれかの方法を実行させるためのコンピュータ可読記憶媒体。
【発明の詳細な説明】
【技術分野】
【０００１】
本開示は、無線通信に関し、特定の実施形態では、可変継続時間基準信号（ＲＳ）による通信のためのデバイス、ネットワーク、および方法に関する。
【背景技術】
【０００２】
関連出願の相互参照
本出願は、２０１５年９月２３日に出願した「Ｄｅｖｉｃｅ，Ｎｅｔｗｏｒｋ，ａｎｄ  Ｍｅｔｈｏｄ  ｆｏｒ  Ｃｏｍｍｕｎｉｃａｔｉｏｎｓ  ｗｉｔｈ  Ｖａｒｉａｂｌｅ−ｄｕｒａｔｉｏｎ  Ｒｅｆｅｒｅｎｃｅ  Ｓｉｇｎａｌｓ」と題する米国の通常の出願第１４／８６３、３８２号明細書の優先権を主張するものであり、これは２０１４年９月２６日に出願した「Ｄｅｖｉｃｅ，Ｎｅｔｗｏｒｋ，ａｎｄ  Ｍｅｔｈｏｄ  ｆｏｒ  Ｃｏｍｍｕｎｉｃａｔｉｏｎｓ  ｗｉｔｈ  Ｖａｒｉａｂｌｅ−ｄｕｒａｔｉｏｎ  Ｒｅｆｅｒｅｎｃｅ  Ｓｉｇｎａｌｓ」と題する米国の仮出願第６２／０５６、３３４号明細書からの優先権を主張するものであり、特許明細書のどちらも参照により全体が再現されるかのように本明細書に組み込まれる。
【０００３】
転送されている無線データの量は、有線データの量を超えると見込まれており、大規模なセルラー配備の限界を押し広げている。より高い密度および／または多様化したスペクトルリソースによるスモールセル配備は、顧客のサービス品質への期待および費用効果のあるサービス提供のためのオペレータの要件を満たしつつ、このデータ容量の増加への対処を補助するために使用されてよい。
【０００４】
スモールセルは一般に、ライセンススペクトルで動作する低電力の無線アクセスポイントである。スモールセルは、家庭および会社、ならびに大都市および郊外の公共空間向けのセルラーカバレッジ、容量、およびアプリケーションの向上をもたらす。さまざまなタイプのスモールセルは、一般に、最小サイズから最大サイズの順で、フェムトセル、ピコセル、およびマイクロセルを含む。スモールセルは、高密度に配備されてもよく、またアンライセンススペクトルリソース、高周波数スペクトルリソースなどのような、追加のスペクトルリソースを利用することもある。
【発明の概要】
【０００５】
無線通信のための実施形態の方法は、第１のデバイスによって、送信および受信の基準タイミングに従って第１のキャリアの１または複数のシンボルの開始タイミングおよび終了タイミングを決定するステップであって、１または複数のシンボルの各々は固定の継続時間を有する、ステップと、第１のデバイスによって、第１のキャリア上の可変継続時間の信号を決定するステップであって、可変継続時間の信号の開始タイミングは、基準タイミングに従って第１のキャリアの１または複数のシンボルのいずれかの開始タイミングからオフセットされる、ステップと、第１のキャリア上の第１のデバイスによって、可変継続時間の信号の開始タイミングにおいて、可変継続時間の信号を送信するステップとを含む。
【０００６】
無線ネットワークにおいて、送信ポイントから可変継続時間の信号を受信するためのユーザ機器（ＵＥ）における実施形態の方法は、第１のキャリアの可変継続時間の信号の構成を送信ポイント（ＴＰ）から受信するステップであって、構成シグナリングはＴＰから第２のキャリア上で受信される、ステップと、第１のキャリアの監視を開始する信号を受信するステップであって、信号はＴＰから第２のキャリア上で受信される、ステップと、第１のキャリアにおける可変継続時間の信号の少なくとも一部をＴＰから取り込むステップと、可変継続時間の部分信号に従ってタイミング情報を決定するステップであって、タイミング情報は、基準タイミングに従う第１のキャリアの１または複数のシンボルの開始タイミングおよび終了タイミングを備え、可変継続時間の信号の取り込まれた部分の開始タイミングは、１または複数のシンボルのいずれかの開始タイミングからオフセットされる、ステップとを含む。
【０００７】
無線デバイスに信号を送信するための実施形態のネットワークデバイスは、プロセッサと、プロセッサにより実行するためのプログラミングを格納する非一時的コンピュータ可読ストレージ媒体であって、プログラミングは、送信および受信の基準タイミングに従って第１のキャリアの１または複数のシンボルの開始タイミングおよび終了タイミングを決定するための命令であり、シンボルの各々は固定の継続時間を有する命令と、第１のキャリア上の可変継続時間の信号を決定するための命令であり、可変継続時間の信号の開始タイミングは、基準タイミングに従って第１のキャリアの１または複数のシンボルのいずれかの開始タイミングからオフセットされる命令と、第１のキャリア上で、可変継続時間の信号の開始タイミングにおいて、可変継続時間の信号を送信するための命令とを含む非一時的コンピュータ可読ストレージ媒体とを含む。
【０００８】
無線ネットワークにおいて送信ポイントから基準信号を取得するための実施形態のネットワークデバイスは、プロセッサと、プロセッサにより実行するためのプログラミングを格納する非一時的コンピュータ可読ストレージ媒体であって、プログラミングは、第１のキャリアの可変継続時間の信号の構成を送信ポイント（ＴＰ）から受信するための命令であり、構成シグナリングはＴＰから第２のキャリア上で受信される命令と、第１のキャリアの監視を開始する信号を受信するための命令であり、信号はＴＰから第２のキャリア上で受信される命令と、第１のキャリアにおける可変継続時間の信号の少なくとも一部をＴＰから取り込むための命令と、可変継続時間の部分信号に従って制御情報を決定するための命令であり、タイミング情報は、基準タイミングに従う第１のキャリアの１または複数のシンボルの開始タイミングおよび終了タイミングを備え、可変継続時間の信号の取り込まれた部分の開始タイミングは、１または複数のシンボルのいずれかの開始タイミングからオフセットされる命令とを含む非一時的コンピュータ可読ストレージ媒体とを含む。
【０００９】
無線デバイスに信号を送信するための実施形態のネットワークデバイスは、送信および受信の基準タイミングに従って第１のキャリアの１または複数のシンボルの開始タイミングおよび終了タイミングを決定する少なくとも１つの決定要素であり、シンボルの各々は固定の継続時間を有し、第１のキャリア上の可変継続時間の信号もまた決定する少なくとも１つの決定要素であり、可変継続時間の信号の開始タイミングは、基準タイミングに従って第１のキャリアの１または複数のシンボルのいずれかの開始タイミングからオフセットされる決定要素と、第１のキャリア上で、可変継続時間の信号の開始タイミングにおいて、可変継続時間の信号を送信する送信要素とを備える。
【００１０】
無線ネットワークにおいて送信ポイントから基準信号を取得するための実施形態のネットワークデバイスは、第１のキャリアの可変継続時間の信号の構成を送信ポイント（ＴＰ）から受信する受信要素であって、構成シグナリングはＴＰから第２のキャリア上で受信され、第１のキャリアの監視を開始する信号もまた受信する受信要素であり、信号はＴＰから第２のキャリア上で受信される、受信要素と、第１のキャリアにおける可変継続時間の信号の少なくとも一部をＴＰから取り込む取り込み要素と、可変継続時間の部分信号に従って制御情報を決定する決定要素であって、タイミング情報は、基準タイミングに従う第１のキャリアの１または複数のシンボルの開始タイミングおよび終了タイミングを備え、可変継続時間の信号の取り込まれた部分の開始タイミングは、１または複数のシンボルのいずれかの開始タイミングからオフセットされる、決定要素とを含む。
【図面の簡単な説明】
【００１１】
本発明、およびその利点のより完全な理解のために、ここで添付の図面と併せて以下の説明を参照する。
【図１Ａ】マクロセルにおけるセルラー通信を示す。
【図１Ｂ】マクロセルおよびピコセルによる異種ネットワークにおけるセルラー通信を示す。
【図１Ｃ】キャリアアグリゲーションによるマクロセルにおけるセルラー通信を示す。
【図１Ｄ】マクロセルおよび複数のスモールセルによる異種ネットワークにおけるセルラー通信を示す。
【図１Ｅ】実施形態のデュアルコネクティビティのシナリオを示す。
【図２Ａ】通常の巡回プレフィックス（ＣＰ）を伴う実施形態の直交周波数分割多重（ＯＦＤＭ）シンボルを示す。
【図２Ｂ】周波数分割複信（ＦＤＤ）構成および時分割複信（ＴＤＤ）構成の実施形態のフレーム構造を示す。
【図２Ｃ】実施形態の、ＦＤＤ構成のＯＦＤＭサブフレームを示す。
【図２Ｄ】実施形態の、ＴＤＤ構成のＯＦＤＭサブフレームを示す。
【図２Ｅ】実施形態の共通基準信号（ＣＲＳ）を示す。
【図２Ｆ】実施形態のチャネル状況インジケータ基準信号（ＣＳＩ−ＲＳ）および専用／復調基準信号（ＤＭＲＳ）を示す。
【図２Ｇ】送信電力の実施形態を示す。
【図２Ｈ】基準信号を使用して同期化および測定を実行する無線デバイスの実施形態を示す。
【図３Ａ】アンライセンス帯域におけるフレームベースの機器操作の実施形態を示す。
【図３Ｂ】アンライセンス帯域におけるキャリア感知の実施形態を示す。
【図３Ｃ】アンライセンス帯域におけるリッスンビフォアトークメカニズムの実施形態を示す。
【図３Ｄ】アンライセンス帯域におけるＷｉＦｉ  ＣＳＭＡ−ＣＡメカニズムの実施形態を示す。
【図４】適応リソース選択および日和見的送信／測定の実施形態を示す。
【図５】ＤＬ  ＲＳおよび非周期的ＣＳＩトリガーに基づく、リンク適応の要求に応じたＣＳＩ測定／フィードバックの実施形態の設計を示す。
【図６】サブフレーム境界が整合された、ＤＬ  ＲＳおよび非周期的ＣＳＩトリガーに基づく、Ｕ−ＬＴＥの要求に応じたＣＳＩ測定／フィードバックの実施形態の設計を示す。
【図７】シフトされたサブフレーム境界により、ＤＬ  ＲＳおよび非周期的ＣＳＩトリガーに基づく、Ｕ−ＬＴＥの要求に応じたＣＳＩ測定／フィードバックの実施形態の設計を示す。
【図８】ＵＥの挙動を監視するための実施形態の手順を示す。
【図９Ａ】拡張ＲＳの実施形態の設計を示す。
【図９Ｂ】拡張ＲＳの実施形態の設計を示す。
【図９Ｃ】拡張ＲＳの実施形態の設計を示す。
【図９Ｄ】拡張ＲＳの実施形態の設計を示す。
【図９Ｅ】拡張ＲＳの実施形態の設計を示す。
【図９Ｆ】拡張ＲＳの実施形態の設計を示す。
【図９Ｇ】拡張ＲＳの実施形態の設計を示す。
【図９Ｈ】拡張ＲＳの実施形態の設計を示す。
【図９Ｉ】拡張ＲＳの実施形態の設計を示す。
【図１０】従来技術の基準信号の方法に関する問題を示す。
【図１１】３つのＳVDRSを伴う１つのＯＦＤＭシンボルによる可変継続時間ＲＳ（ＶＤＲＳ）の実施形態を示す。
【図１２Ａ】可変継続時間ＲＳ（ＶＤＲＳ）の実施形態を示す。
【図１２Ｂ】可変継続時間ＲＳ（ＶＤＲＳ）の実施形態を示す。
【図１２Ｃ】可変継続時間ＲＳ（ＶＤＲＳ）の実施形態を示す。
【図１２Ｄ】可変継続時間ＲＳ（ＶＤＲＳ）の実施形態を示す。
【図１２Ｅ】可変継続時間ＲＳ（ＶＤＲＳ）の実施形態を示す。
【図１２Ｆ】可変継続時間ＲＳ（ＶＤＲＳ）の実施形態を示す。
【図１２Ｇ】可変継続時間ＲＳ（ＶＤＲＳ）の実施形態を示す。
【図１２Ｈ】可変継続時間ＲＳ（ＶＤＲＳ）の実施形態を示す。
【図１３】ホストデバイスにインストールされることがある本明細書において説明される方法を実行するための実施形態の処理システムのブロック図を示す。
【図１４】電気通信ネットワークを介してシグナリングを送信および受信するように適合された送受信機のブロック図を示す。
【発明を実施するための形態】
【００１２】
現在好ましい実施形態の作成および使用について、以下詳細に説明する。しかし、本開示が、多種多様な特定のコンテキストにおいて具現化されることが可能な多くの適用可能な発明概念を提供することを理解されたい。説明される特定の実施形態は、本開示を作成および使用する特定の方法を単に例示するに過ぎず、本開示の範囲を限定するものではない。
【００１３】
実施形態において、不連続の測定および送信をネットワークにおいて提供する方法は、コントローラデバイスによってユーザ機器（ＵＥ）に、継続時間がＵＥに推測的に認識されないことがある基準信号（ＲＳ）を送信することと、ＵＥによって、ＲＳを受信することと、ＵＥによって、ＲＳの一部を処理することとを含む。実施形態において、ＲＳ継続時間は、ＯＦＤＭシンボル継続時間の倍数ではない。実施形態において、ＵＥは、タイミングおよび周波数同期をＲＳの一部から取得する。
【００１４】
通常、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）  Ｌｏｎｇ  Ｔｅｒｍ  Ｅｖｏｌｕｔｉｏｎ（ＬＴＥ）準拠の通信システムのような最新の無線通信システムにおいて、複数のセルまたは進化型ＮｏｄｅＢ（ｅＮＢ）（一般に、ＮｏｄｅＢ、基地局（ＢＳ）、基地端末局、通信コントローラ、ネットワークコントローラ、コントローラ、アクセスポイント（ＡＰ）などとも称される）は、各セルが複数の送信アンテナを有して、セルのクラスタに配列されてよい。さらに、各セルまたはｅＮＢは、公正性、比例公正性、ラウンドロビンなどの優先度メトリックに基づいて、ある期間にわたり、複数のユーザ（一般に、ユーザ機器（ＵＥ）、無線デバイス、移動局、ユーザ、サブスクライバ、端末などとも称される）にサービスを提供していることがある。セル、送信ポイント（ＴＰ）、アクセスポイント（ＡＰ）、基地局、コントローラ、通信コントローラ、ｅＮＢなどの用語は、本開示全体を通じて同義的に使用されてよいことに留意されたい。セル、送信ポイント、およびｅＮＢなどの区別は、必要に応じて行われる。また、ＵＥという用語が、基地局、ユーザ、サブスクライバ、移動局、モバイル、端末などとも称され、本開示全体を通じて同義的に使用されてよいことにも留意されたい。
【００１５】
図１Ａに示されるように、システム１００は、第１の無線デバイス１０１および第２の無線デバイス１０２への無線リンク１０６を使用して通信する通信コントローラ１０５を備える一般的な無線ネットワークである。無線リンク１０６は、通常時分割複信（ＴＤＤ）構成に一般的に使用されるようなシングルキャリア周波数、または周波数分割複信（ＦＤＤ）構成に使用されるようなキャリア周波数のペアを含むことができる。システム１００において示されていないのは、バックホール、管理エンティティなどのような通信コントローラ１０５をサポートするために使用されるネットワーク要素のうちのいくつかである。コントローラからＵＥへの送信／受信は、ダウンリンク（ＤＬ）送信／受信と呼ばれ、ＵＥからコントローラへの送信／受信は、アップリンク（ＵＬ）送信／受信と呼ばれる。通信コントローラ１０５は、アンテナ、送信機、受信機、プロセッサ、および非一時的コンピュータ可読ストレージおよび／またはメモリを含むことがある。通信コントローラ１０５は、送信ポイント（ＴＰ）、ＢＳ、無線基地局（ＢＴＳ）、ＡＰ、ｅＮＢ、ネットワークコントローラ、コントローラ、基地端末局などとして実施されてよい、またはそのように称されてよい。これらの用語は、本開示全体を通じて同義的に使用されてよい。
【００１６】
図１Ｂに示されるように、システム１２０は、無線リンク１０６（実線）を使用して無線デバイス１０１に、および無線リンク１０６を使用して無線デバイス１０２に通信する通信コントローラ１０５を備える例示の無線異種ネットワーク（ＨｅｔＮｅｔ）である。ピコセルのような第２の通信コントローラ１２１は、カバレッジエリア１２３を有し、無線リンク１２２を使用して無線デバイス１０２に通信することができる。通常、無線リンク１２２および無線リンク１０６は、同じキャリア周波数を使用するが、無線リンク１２２および無線リンク１０６は、異なる周波数を使用することができる。通信コントローラ１０５および通信コントローラ１２１を接続するバックホール（図示せず）があってよい。ＨｅｔＮｅｔは、マクロセルおよびピコセル、または一般により高電力のノード／より広いカバレッジとより低電力のノードを持つアンテナ／より小さいカバレッジを持つアンテナを含むことがある。より低電力のノード（またはより低電力のポイント、ピコ、フェムト、マイクロ、中継ノード、リモート無線ヘッド（ＲＲＨ）、リモート無線ユニット、分散アンテナなど）は一般に、ライセンススペクトルで動作する低電力の無線アクセスポイントである。スモールセルは、より低電力のノードを使用することがある。より低電力のノードは、家庭および会社、ならびに大都市および郊外の公共空間のセルラーカバレッジ、容量、およびアプリケーションの向上をもたらす。実施形態において、ライセンス帯域とは、個々のエンティティが、所与の地理的エリアにおいてその帯域内の指定されたチャネル上で送信する独占的権利のライセンス料を支払うという意味である。
【００１７】
図１Ｂのシステム１２０のようなネットワークにおいて、複数のコンポーネントキャリアで動作している複数のマクロポイント１０５および複数のピコポイント１２１があってよく、任意の２つのポイントの間のバックホールは、配備に応じて高速バックホールまたは低速バックホールであることが可能である。２つのポイントが高速バックホールを有する場合、たとえば、通信方法およびシステムを簡略化するため、または協調を向上させるために、高速バックホールは完全に使用されることがある。ネットワークにおいて、送信または受信用にＵＥのために構成されたポイントは、複数のポイントを含むことがあり、ポイントのいくつかのペアは、高速バックホールを有することがあるが、ポイントの他のいくつかのペアは、低速バックホールまたは任意のバックホールを有することがある。
【００１８】
配備において、ｅＮｏｄｅＢは、１または複数のセルを制御することがある。複数のリモート無線ユニットは、ファイバケーブルによってｅＮｏｄｅＢの同じベースバンドユニットに接続されることがあり、ベースバンドユニットとリモート無線ユニットとの間の待ち時間は非常に小さい。したがって、同じベースバンドユニットは、複数のセルの協調送信／受信を処理することができる。たとえば、ｅＮｏｄｅＢは、ＵＥへの複数のセルの送信を協調させることがあり、これは協調マルチポイント（ＣｏＭＰ）送信と呼ばれる。ｅＮｏｄｅＢはまた、ＵＥからの複数のセルの受信を協調させることもあり、これはＣｏＭＰ受信と呼ばれる。この場合、同じｅＮｏｄｅＢを持つこれらのセルの間のバックホールリンクは、高速バックホールであり、ＵＥの異なるセルにおいて送信されるデータのスケジューリングは、同じｅＮｏｄｅＢにおいて容易に協調されることが可能である。
【００１９】
ＨｅｔＮｅｔの拡張として、低電力のノードを使用する高密度に配備される可能性のあるスモールセルが、特に屋内および屋外のシナリオにおけるホットスポット配備にとって、モバイルトラフィックの急増に対処するものと有望視されている。低電力のノードは一般に、送信電力がマクロノードおよびＢＳクラスより低いノードを意味し、たとえばピコおよびフェムトｅＮＢが共に適用できる。３ＧＰＰにおける進行中の研究である、Ｅ−ＵＴＲＡおよびＥ−ＵＴＲＡＮのスモールセル拡張は、高密度に配備される可能性のある低電力のノードを使用して屋内および屋外のホットスポットエリアにおける拡張パフォーマンスのための追加機能に重点的に取り組む。
【００２０】
図１Ｃに示されるように、システム１１０は、キャリアアグリゲーション（ＣＡ）で構成される標準的な無線ネットワークであり、ここでは、通信コントローラ１０５が、無線リンク１０６（実線）を使用して無線デバイス１０１に、および無線リンク１０７（破線）および無線リンク１０６を使用して無線デバイス１０２に通信する。いくつかの実施形態の配備において、無線デバイス１０２の場合、無線リンク１０６は、プライマリコンポーネントキャリア（ＰＣＣ）と呼ばれることが可能であり、一方で無線リンク１０７は、セカンダリコンポーネントキャリア（ＳＣＣ）と呼ばれることが可能である。いくつかのキャリアアグリゲーションの配備において、ＰＣＣは、無線デバイスから通信コントローラにフィードバックを提供されることが可能であり、一方でＳＣＣはデータトラフィックを搬送することができる。３ＧＰＰ  Ｒｅｌ−１０仕様において、コンポーネントキャリアはセルと呼ばれる。複数のセルが同じｅＮｏｄｅＢによって制御される場合、複数のセルをスケジュールするために同じｅＮｏｄｅＢ内に単一のスケジューラがあってよいので、複数のセルのクロススケジューリングは、実施されることが可能である。ＣＡにより、１つのｅＮＢは、プライマリセル（ＰＣｅｌｌ）およびセカンダリセル（ＳＣｅｌｌ）を形成する複数のコンポーネントキャリアを操作および制御することがある。Ｒｅｌ−１１設計において、ｅＮｏｄｅＢは、マクロセルおよびピコセルの両方を制御することがある。この場合、マクロセルとピコセルとの間のバックホールは、高速バックホールである。ｅＮｏｄｅＢは、マクロセルおよびピコセルの両方の送信／受信を動的に制御することができる。
【００２１】
図１Ｄに示されるように、システム１３０は、無線リンク１０６（実線）を使用して無線デバイス１０１に、および無線リンク１０６を使用して無線デバイス１０２に通信する通信コントローラ１０５を備える実施形態の無線異種ネットワークである。スモールセルのような第２の通信コントローラ１３１は、カバレッジエリア１３３を有し、無線リンク１３２を使用して無線デバイス１０２に通信することができる。もう１つのスモールセルの通信コントローラ１３５は、カバレッジエリア１３８を有し、無線リンク１３６を使用する。通信コントローラ１３５は、無線リンク１３６を使用して無線デバイス１０２に通信することができる。カバレッジエリア１３３および１３８は、重複することがある。無線リンク１０６、１３２、および１３６のキャリア周波数は、同じようにしてよいし、または異なるようにしてよい。
【００２２】
図１Ｅは、デュアル接続用に構成された実施形態のシステムを示す。マスターｅＮＢ（ＭｅＮＢ）は、Ｘｎインターフェイス（Ｘｎはいくつかの固有の場合にＸ２であることが可能である）のようなインターフェイスを使用して１または複数のセカンダリｅＮＢ（ＳｅＮＢ）に接続される。バックホールは、このインターフェイスをサポートすることができる。ＳｅＮＢの間には、Ｘ２インターフェイスがあってよい。ＵＥ１のようなＵＥは、ＭｅＮＢ１およびＳｅＮＢ１に無線で接続される。第２のＵＥであるＵＥ２は、ＭｅＮＢ１およびＳｅＮＢ２に無線で接続することができる。
【００２３】
直交周波数分割多重（ＯＦＤＭ）システムにおいて、周波数帯域幅は、周波数領域において複数のサブキャリアに分割される。時間領域において、１つのサブフレームは、複数のＯＦＤＭシンボルに分割される。各ＯＦＤＭシンボルは、複数のパス遅延によるシンボル間の干渉を回避するために巡回プレフィックスを有することがある。１つのリソースエレメント（ＲＥ）は、１つのサブキャリアおよび１つのＯＦＤＭシンボル内で時間−周波数リソースによって定義される。たとえば物理ダウンリンク共有チャネル（ＰＤＳＣＨ）のデータチャネル、およびたとえば物理ダウンリンク制御チャネル（ＰＤＣＣＨ）の制御チャネルのような、基準信号および他の信号は、時間−周波数領域において異なるリソースエレメントで直交および多重化される。さらに、信号は、リソースエレメントに変調されマップされる。各ＯＦＤＭシンボルについて、周波数領域内の信号は、たとえばフーリエ変換を使用して時間領域の信号に変換され、シンボル間の干渉を回避するために、追加された巡回プレフィックスと共に送信される。
【００２４】
各リソースブロック（ＲＢ）は、複数のＲＥを含む。図２Ａは、通常の巡回プレフィックス（ＣＰ）を伴う実施形態のＯＦＤＭシンボルを示す。各サブフレーム内に、０から１３までラベル表示された１４個のＯＦＤＭシンボルがある。各サブフレーム内のシンボル０から６は、偶数番号のスロットに対応し、各サブフレーム内のシンボル７から１３は、奇数番号のスロットに対応する。図において、サブフレームの１つのスロットのみが示されている。各ＲＢ内に０から１１までラベル表示された１２のサブキャリアがあり、したがってこの例において、ＲＢペアに１２×１４＝１６８のＲＥがある（ＲＢは、スロット内のシンボル数による１２のサブキャリア）。各サブフレームにおいて、複数のＲＢがあり、その数は帯域幅（ＢＷ）に依存することがある。
【００２５】
図２Ｂは、ＬＴＥにおいて使用される２つのフレーム構成を示す。フレーム２００は通常、ＦＤＤ構成に使用され、ここでは、０から９でラベル表示されたすべての１０のサブフレームは、同じ方向に（この例においてはダウンリンク）通信する。各サブフレームは、継続時間が１ミリ秒であり、各フレームは継続時間が１０ミリ秒である。フレーム２１０は、ＴＤＤ構成を示し、ここでは、特定のサブフレームは、ダウンリンク送信（網掛けなしボックス（サブフレーム０および５）のような）、アップリンク送信（縦線（サブフレーム２））、およびアップリンクとダウンリンク送信の両方を含む特殊（網掛けボックス（サブフレーム１））に割り当てられている。ダウンリンク（アップリンク）送信に専用の全サブフレームは、ダウンリンク（アップリンク）サブフレームと呼ばれることが可能である。サブフレーム６は、ＴＤＤ構成に応じて、ダウンリンクまたは特殊サブフレームのいずれかであることが可能である。濃い網掛けボックスの各々（サブフレーム３、４、７、８、および９）は、ＴＤＤ構成に応じて、ダウンリンクサブフレームまたはアップリンクサブフレームのいずれかであることが可能である。フレーム２１０において使用される色は例示的なものであるが、参照により本明細書に組み入れられる標準ＴＳＧ３６．２１１  Ｒｅｌ．１１に基づく。
【００２６】
図２Ｃおよび図２Ｄは、シンボルおよび周波数に関して区分されるダウンリンクサブフレームの実施形態を示す。サブフレーム２０５のようなサブフレームは、（ＲＢの数が６より大きいと仮定して）周波数領域において３つのセクションに分割される。６ＲＢのダウンリンク帯域幅（たとえば、ダウンリンクキャリアの帯域幅）について、類似した図が示されることが可能である。
【００２７】
図２Ｃにおいて、サブフレーム２０５は、サブフレーム０および５についてのＦＤＤ構成のシンボル割り当ての実施形態を示す。濃い網掛けは、共通基準信号（ＣＲＳ）を有するシンボルを示す。例では、ＣＲＳがアンテナポート０で送信されるか、またはアンテナポート０および１で送信されると仮定する。横線網掛けは、２次同期信号（ＳＳＳ）の位置を示す。薄い網掛けは、１次同期信号（ＰＳＳ）の位置を示す。ＰＳＳおよびＳＳＳは共に、ダウンリンクキャリアの中央の６つのリソースブロックを占有する。スロット１のシンボル０、１、２、３の右下網掛けは、物理ブロードキャストチャネル（ＰＢＣＨ）がサブフレーム０について占有する位置を表す。ＰＢＣＨは、標準のＲｅｌ．１１において、サブフレーム５で送信されない。ＰＳＳ、ＳＳＳ、およびＣＲＳがオーバーヘッドと見なされることが可能であることに留意されたい。
【００２８】
図２Ｄにおいて、サブフレーム２１５は、図２ＢのＴＤＤサブフレーム２１０のサブフレーム０および５についてのシンボル割り当ての実施形態を示す。同様に、サブフレーム２１８は、ＴＤＤサブフレーム２１０のサブフレーム１および６についてのシンボル割り当ての実施形態を示す。サブフレーム２１５およびサブフレーム２１８の双方において、濃い網掛けは、ＣＲＳを有するシンボルを示す。例ではまた、ＣＲＳがアンテナポート０で送信されるか、またはアンテナポート０および１で送信されると仮定する。サブフレーム２１５の横線網掛けは、ＳＳＳの位置を示す。サブフレーム２１８の薄い網掛けは、ＰＳＳの位置を示す。ＰＳＳおよびＳＳＳは共に、ダウンリンクキャリアの中央の６つのＲＢを占有する。サブフレーム２１８の格子網掛けは、サブフレームの残りのシンボルが、ダウンリンク（サブフレーム６がダウンリンクサブフレームである場合）であるか、またはサブフレームが特殊サブフレームである場合に、ダウンリンクシンボル、ガードタイム、およびアップリンクシンボルの組み合わせであることを示す。図２Ｃと同様に、スロット１のシンボル０、１、２、３の右下網掛けは、ＰＢＣＨがサブフレーム０について占有する位置を表す。ＰＢＣＨは、標準のＲｅｌ．１１において、サブフレーム５で送信されない。ＰＳＳ、ＳＳＳ、およびＣＲＳがオーバーヘッドと見なされることが可能であることに留意されたい。ＰＢＣＨの情報コンテンツ（つまり、マスター情報ブロック）は、４０ｍｓごとに変わることができる。
【００２９】
ＬＴＥ−Ａシステムのダウンリンク送信において、ＵＥがＰＤＣＣＨおよび他の共通チャネルの復調、ならびに測定およびいくつかのフィードバックのチャネル推定を実行するための基準信号があり、これは図２Ｅの図２３０に示されるように、Ｅ−ＵＴＲＡのＲｅｌ−８／９仕様から継承されるＣＲＳである。専用／復調基準信号（ＤＭＲＳ）は、Ｅ−ＵＴＲＡのＲｅｌ−１０においてＰＤＳＣＨチャネルと共に送信されることが可能である。ＤＭＲＳは、ＰＤＳＣＨ復調の間にチャネル推定のために使用される。ＤＭＲＳはまた、ＵＥによるＥＰＤＣＣＨのチャネル推定のために拡張ＰＤＣＣＨ（ＥＰＤＣＣＨ）と共に送信されることもできる。表記（Ｅ）ＰＤＣＣＨは、ＥＰＤＣＣＨおよび／またはＰＤＣＣＨを示す。
【００３０】
図２Ｆの図２４０に示されるように、Ｒｅｌ−１０において、チャネル状況インジケータ基準信号（ＣＳＩ−ＲＳ）は、ＣＲＳおよびＤＭＲＳに加えて導入されている。ＣＳＩ−ＲＳは、特に複数のアンテナの場合に、チャネル状況を測定するため、Ｒｅｌ−１０のＵＥに使用される。ＰＭＩ／ＣＱＩ／ＲＩおよび他のフィードバックは、Ｒｅｌ−１０およびＵＥ以外のＣＳＩ−ＲＳの測定に基づいてよい。ＰＭＩは、プリコーディングマトリクスインジケータであり、ＣＱＩは、チャネル品質インジケータであり、ＲＩは、プリコーディングマトリクスのランクインジケータである。ＵＥに対して構成された複数のＣＳＩ−ＲＳリソースがあってよい。各ＣＳＩ−ＲＳリソースごとについて、ｅＮＢによって割り当てられた固有の時間−周波数リソースおよびスクランブルコードがある。
【００３１】
図２Ｇは、サブフレーム０および１についてのＦＤＤ構成について、図１Ａの１０５のような通信コントローラからの送信電力の例示的なプロット２２０を示す。プロット２２０は、たとえダウンリンク上に送信する他のデータがないとしても、通信コントローラがＣＲＳ（濃い網掛け）、ＳＳＳ（横線網掛け）、ＰＳＳ（薄い網掛け）、およびＰＢＣＨ（格子網掛け）のような信号を引き続き送信することを示す。これらの信号の送信は、通信コントローラ１２１が無線デバイス１０２のようなＵＥにサービスを提供していないときでも、図１Ｂにおけるようなシステムで観察される干渉を増大させることができる。この干渉は、システム容量を減少させることができる。
【００３２】
しかし、これらの信号を完全に除去することは、システム操作を損なう可能性がある。たとえば、無線デバイスは、（時間および周波数を）同期し、次いで測定を行うために、これらの信号に依存する。
【００３３】
図２Ｈは、図２Ｈの流れ図２５０において提示されている、ＣＲＳ、ＳＳＳ、およびＰＳＳ信号を使用する無線デバイスの実施形態を示す流れ図である。ステップ２５２において、無線デバイスはまず、送信されたＰＳＳを検出する。次いで、ステップ２５４において、無線デバイスは、ＳＳＳを検出することができる。ＰＳＳおよびＳＳＳの両方を有することで、無線デバイスは、１）フレーム構成（ＦＤＤまたはＴＤＤ）、２）特定のダウンリンクサブフレームに使用された巡回プレフィックス、３）セルＩＤ、および４）サブフレーム０の位置、のような無線デバイス情報を提供する。さらに、無線デバイスは、ＰＳＳおよびＳＳＳを使用して粗い周波数およびタイミング同期を実行することができる。
【００３４】
無線デバイスは、セルＩＤ、巡回プレフィックス、およびサブフレーム０の位置を認識しているので、無線デバイスは、ステップ２５６において示されるように、サブフレーム０および５のＣＲＳに測定を行うことができる。例示の測定は、基準信号受信電力（ＲＳＲＰ）、受信信号強度インジケータ（ＲＳＳＩ）、および基準信号受信品質（ＲＳＲＱ）である。ＣＲＳは、周波数およびタイミング同期を改善するために使用されることが可能である。通信コントローラが（受信信号品質に関して）満足していることを測定が示す場合、無線デバイスは、ＰＢＣＨを処理して、ＣＲＳが送信されるアンテナポートの数、フレーム番号付け（たとえば、０から１０２３）、およびダウンリンク帯域幅（ダウンリンクキャリアの帯域幅）などの他の情報を決定するよう選択してよい。
【００３５】
図２Ｈの残りのステップは、ＵＥがどのようにｅＮＢに割り当てられることができるかを示す。ステップ２６０において、ＵＥは、ＳＩＢ１、ＳＩＢ２などのシステム情報ブロードキャスト（ＳＩＢ）メッセージをリッスンする。ＳＩＢメッセージをリッスンするため、ＵＥは通常、ＰＤＣＣＨを受信してダウンリンク制御情報（ＤＣＩ）を処理し、ＳＩＢメッセージを搬送するＰＤＳＣＨの変調、符号化などの情報を取得する。ステップ２６２において、ＵＥは、測定の目的でさらにＣＲＳを処理してよい。ステップ２６４において、ＵＥは、１または複数のキャリアにおけるセルを比較して、適切なセルを選択することがある。ステップ２６６において、ＵＥは、このキャリアでキャンプオンすることを決定してよい。ステップ２６８において、ＵＥは、ステップ２７０におけるＲＲＣ＿ＣＯＮＮＥＣＴＥＤ状態に入るために、アップリンクでランダムアクセスチャネル（ＲＡＣＨ）を送信することによって、ランダムアクセス手順を開始することがある。ステップ２７０において、ＵＥとｅＮＢとの間にメッセージ交換があってよい。ＵＥは、ＲＲＣ＿ＣＯＮＮＥＣＴＥＤ、およびＲＲＣ＿ＩＤＬＥという２つの状態を有し、「ｃｏｎｎｅｃｔｅｄ」という用語は、ＲＲＣ＿ＣＯＮＮＥＣＴＥＤを表すことができ、「ｉｄｌｅ」は、ＲＲＣ＿ＩＤＬＥを表すことができる。ＵＥがＲＲＣ＿ＣＯＮＮＥＣＴＥＤに入った後に、ＵＥは、ＲＲＣＣｏｎｎｅｃｔｉｏｎＳｅｔｕｐＣｏｍｐｌｅｔｅメッセージをｅＮＢに送信する。
【００３６】
ＵＥをアタッチする（割り当てる、キャンプする）ことなく、干渉をｅＮＢから低減させるための１つの概念は、それらのｅＮＢをオフにすることである。ＵＥが到着すると、ｅＮＢは次にオンになる。同様に、それ以上トラフィックがなくなると、ｅＮＢは次にオフになることが可能である。しかし、ＵＥが、ＰＳＳ、ＳＳＳ、およびＣＲＳのような信号の永続的送信に基づいて、ｅＮＢの品質を識別すること、すなわち、それらの信号がない場合にＵＥがどのように品質を測定することができるようなオン−オフメカニズム（オン／オフ適応）をサポートするために、規格に多くの変更がある。スモールセルのオン／オフ適応、またはさらに一般的にはネットワーク適応に関する他の論点は、（１）カバレッジの課題：スモールセルのオン／オフにかかわらずセルラーカバレッジを確保すること、（２）アイドルのＵＥの課題：オン／オフを操作するスモールセルがアイドル状態のＵＥをサポートすることができるか、アイドルのＵＥをサポートするために何が行われる必要があるか、接続状態でＵＥ／ｅＮＢがデータを交換することができるか、（３）レガシーＵＥのサポート（この特徴を有していないＵＥをサポートする方法）、（４）高速オン／オフ適応はどのようにサポートされ得るか？を含む。さらに具体的には、スモールセルディスカバリおよび測定の拡張、デュアルコネクティビティまたはさらに広範に、マルチストリームアグリゲーション（ＭＳＡ）、ＣｏＭＰおよび拡張ＣｏＭＰ（ｅＣｏＭＰ）（ＣｏＭＰ  Ｓｃｅｎａｒｉｏ  ４（ＲＲＨによって作成された送信／受信ポイントがマクロセルと同じセルＩＤを有するマクロセルカバレッジ内の低電力ＲＲＨを伴うネットワーク）、非理想的バックホール上の協調を含む）、マッシブキャリアアグリゲーションなどのような（Ｒｅｌ−１１／１２またはさらにそれ以降の）手順／メカニズムを所与として、高速オン／オフ適応がどのようにサポートされ得るか。
【００３７】
（たとえば、時間より短い時間スケールのような）オン／オフ適応または電力適応を頻繁に操作するスモールセルは、迅速な適応によりアイドルのＵＥは、セル再選択に頻繁に入って電力を消費することになり得るので、アイドルのＵＥのサポートに適していないことがある。同様に、スモールセルは、マクロセルが提供することができるカバレッジサポートに適していないことがある。そのようなスモールセルは主に、カバレッジレイヤによって提供される基本機能に加えて、アクティブなＵＥの高いトラフィック需要をサポートするために使用されてよい。カバレッジレイヤ上のセルは、オン／オフ適応を実行しないことがある（少なくとも頻繁にはそうしないことがある）。アイドルのＵＥは、カバレッジレイヤのセルのみに接続されてよい。この結果、スモールセルは、少なくともレガシーＵＥの観点からは、独立型のセルである必要はなくなる。しかし、特定の孤立したローカルエリアにおいては、カバレッジが懸念事項ではなく、高い容量が望ましいいくつかのシナリオが存在することがあり、そのような場合には、オン／オフを操作する独立型のスモールセルが配備されてよい。
【００３８】
したがって、通常の配備のシナリオは、セルがネットワーク適応を実行しない（もしくは少なくともあまり頻繁または著しくは実行しない）カバレッジレイヤ、およびセル（主にスモールセル）がネットワーク適応を実行し得るキャパシティレイヤを含む。カバレッジ／モビリティおよびアイドルのＵＥのサポートは主に、カバレッジレイヤによって提供される。通常、ＵＥは、まず、カバレッジレイヤのセルに接続し、次いで必要に応じてキャパシティレイヤのスモールセルに接続する。スモールセルは、カバレッジレイヤ内のスモールセルと同一チャネルまたは非同一チャネルであってよい。１つの実施形態の配備は、図１Ｂに示される。
【００３９】
スモールセルを配備して操作する１つの効率的な方法として、仮想セル構成（たとえば、ＣｏＭＰ  Ｓｃｅｎａｒｉｏ  ４）が採用され、スモールセルは、高いトラフィック需要を伴うＵＥのために日和見的に構成されてオンにされる。したがって、そのようなネットワークにおいて、カバレッジおよびアイドルのＵＥのサポートは、確保され、スモールセルの採用によって影響を受けることはない。
【００４０】
スモールセルの動的オン／オフのメカニズムは、スモールセルネットサークのさらなる進化が想定される場合に、さらに有益であると見られる。具体的には、顧客のサービス品質の期待および費用効果のあるサービス提供のオペレータの要件を満たしつつ、増加の一途をたどるデータ容量のニーズに対処するため、スモールセルネットワークの高密度化が提案される。大まかに言うと、スモールセルネットワークの密度を２倍にすることにより、ネットワークの容量を倍増させることができる。しかし、高密度化は、より高い干渉、特に、永続的に送信される共通チャネル（たとえば、ＣＲＳ）によって引き起こされる干渉をもたらす。スモールセルを日和見的にオフにすることにより、干渉の低減および高密度ネットワークの効率の改善を大いに助けることができる。
【００４１】
ネットワークを高密度化することによってネットワークリソースを増大させることと並行して、ネットワークリソースを増大させるもう１つの方法は、さらに多くの使用可能なスペクトルリソースを利用することであり、これには、マクロと同じタイプのライセンススペクトルリソースのみならず、マクロと異なるタイプのライセンススペクトルリソース（たとえば、マクロはＦＤＤセルであるが、スモールセルはＦＤＤおよびＴＤＤキャリアの両方を使用してよい）、ならびにアンライセンススペクトルリソースおよび共有スペクトル、さらにミリメートル波長（ｍｍＷａｖｅ、ｍｍｗａｖｅ、またはｍｍ−ｗａｖｅ、ｍｍＷなど）レンジの高周波数スペクトルでさえ含む。アンライセンススペクトルは、規制要件に従うことを条件として、一般に任意のユーザによって使用されることが可能である。従来、アンライセンススペクトルは、サービス品質（ＱｏＳ）要件を保証することが概して困難であるため、セルラーネットワークによって使用されない。アンライセンススペクトルでの動作は主に、たとえばＷｉＦｉネットワークのような無線ローカルエリアネットワーク（ＷＬＡＮ）を含む。ライセンススペクトルが一般に希少であり高額であるということから、セルラーオペレータによるアンライセンススペクトルの利用が検討されてよい。高周波数帯域およびアンライセンス／共有ライセンス帯域上では通常、ＴＤＤが使用され、したがってチャネル相互関係が通信に利用される可能性があることに留意されたい。
【００４２】
アンライセンススペクトルでは、概して同じ周波数リソース上で動作する複数のノード間の事前協調はない。したがって、コンテンションベースプロトコル（ＣＢＰ）が使用されてよい。米国連邦通信委員会（ＦＣＣ）のパート９０のセクション９０．７（パラグラフ５８）によれば、ＣＢＰは以下のように定義されている。
【００４３】
ＣＢＰ−−−「２つ以上の送信機が同時に同じチャネルにアクセスを試みる場合に必然的に発生するイベントを定義すること、および送信機が、他の送信機が動作する妥当な機会をもたらすことでルールを確立することによって、複数のユーザが同じスペクトルを共有することとなるプロトコル。そのようなプロトコルは、新しい送信を開始するための手順、チャネルの状態（使用可能または使用不可）を決定するための手順、およびビジーチャネルの場合に再送信を管理するための手順からなるようにしてよい。」チャネルの状態がビジーであることはまた、チャネル使用不可、チャネル送信不可、チャネル占有などと呼ばれてもよく、チャネルの状態がアイドルであることはまた、チャネル使用可能、チャネル送信可、チャネル非占有などと呼ばれてもよい。
【００４４】
最も使用されるＣＰＢの１つは、ＩＥＥＥ８０２．１１またはＷｉＦｉの「リッスンビフォアトーク」（ＬＢＴ）操作手順である（たとえば、「Ｗｉｒｅｌｅｓｓ  ＬＡＮ  ｍｅｄｉｕｍ  ａｃｃｅｓｓ  ｃｏｎｔｒｏｌ  （ＭＡＣ）  ａｎｄ  ｐｈｙｓｉｃａｌ  ｌａｙｅｒ  （ＰＨＹ）  ｓｐｅｃｉｆｉｃａｔｉｏｎｓ」ＩＥＥＥ  Ｓｔｄ  ８０２．１１−２００７（ＩＥＥＥ  Ｓｔｄ  ８０２．１１−１９９９の改訂）において見出することができる）。この手順はまた、衝突回避を有するキャリア感知多重アクセス（ＣＳＭＡ／ＣＡ）プロトコルでも知られている。キャリア感知は、任意の送信の試行の前に実行され、送信は、キャリアがアイドル状態であると感知される場合に限り実行され、それ以外の場合は、次の感知のランダムバックオフ時間が適用される。検知は一般に、クリアチャネル評価（ＣＣＡ）手順を通じて行われ、チャネル内電力が所与のしきい値を下回るかどうかを決定する。ＥＴＳＩ  ＥＮ３０１  ８９３  Ｖ１．７．１の第４．９．２節において、これは、２つのタイプの適応機器、すなわちフレームベースの機器および負荷ベースの機器を説明する。
【００４５】
フレームベースの機器のタイミング３００の実施形態は、図３Ａに示される。キャリア感知のための実施形態の方法３０１についての流れ図の例は、図３Ｂに示される。一般的なリッスンビフォアトークのメカニズムについての実施形態の方法３２０の流れ図は、図３Ｃに示される。
【００４６】
ここで、図３Ｂを参照すると、方法３０１は、ステップ３０２で開始し、ここで、通信コントローラは波形信号をＵＥから受信する。ステップ３０４において、通信コントローラは、信号を処理し、決定変数Ｘを生成する。ここでの信号処理は一般的に、ベースバンドで通常実行されるデジタル領域において行われるものであり、サンプリング、Ａ／Ｄ変換、プリコーディング重み付けとの受信機のデジタル結合などを含むことがある。決定変数Ｘは、チャネルがアイドルまたはビジーであるかを決定するために使用される。ステップ３０６において、通信コントローラは、決定変数がしきい値Ｔより小さいかどうかを決定する。しきい値は、標準化された値であるか、または標準もしくはいくつかの規定から派生されてよく、デバイスタイプに固有、空間固有などであってよい。しきい値はまた、トラフィック負荷、干渉の状態などに従って、指定された範囲内で変化することが許容されてよい。ステップ３０６において、通信コントローラが、決定変数Ｘの値がしきい値Ｔより小さいと決定する場合、方法３０１はステップ３０８に進み、ここで、通信コントローラは、キャリアチャネルがアイドルであることを決定し、その後、方法３０１は終了する。ステップ３０６において、通信コントローラが、決定変数Ｘの値がしきい値Ｔより小さくないと決定する場合に次に、方法３００はステップ３１０に進み、ここでは通信コントローラは、キャリアチャネルがビジーであることを決定し、その後、方法３０１は終了する。
【００４７】
ここで、図３Ｃを参照すると、方法３２０は、ステップ３０２で開始し、ここでは、通信コントローラはフレームを組み立てる。ステップ３０４において、通信コントローラは、図３Ｂに関して上記で説明したようなキャリア感知を実行して、チャネルがアイドルであるかを決定する。ステップ３０４において、通信コントローラが、チャネルはアイドルではないが、ビジーであると決定する場合に次に、方法３２０はステップ３０６に進み、ここで、通信コントローラは、フレームを送信するのをやめてランダムバックオフタイマーが満了するのを待ち、その後、方法はステップ３０４に戻る。ステップ３０４において、通信コントローラが、チャネルがアイドルであると決定する場合に次に、方法３２０はステップ３０８に進み、ここで、通信コントローラはフレームを送信し、その後、方法は終了する。
【００４８】
ＷｉＦｉは、リッスンビフォアトークメカニズムを適用する最も優れた例である。ＷｉＦｉは、８０２．１１標準技術を、（物理およびＭＡＣレイヤを含む）エアインターフェイスとして使用する。８０２．１１において、通信チャネルは、ＣＳＭＡ／ＣＡを使用するＤＣＦ（分散協調機能）と呼ばれる機能による分散チャネルアクセスと呼ばれるメカニズムの下で局によって共有される。ＤＣＦは、物理および仮想キャリア感知機能の双方を使用して、媒体の状態を決定する。物理キャリア感知は、ＰＨＹに常駐し、フレーム長の延期と共にエネルギー検出およびプリアンブル検出を使用して、いつ媒体がビジーであるかを決定する。仮想キャリア感知はＭＡＣに常駐し、無線チャネルの使用を阻止することをアナウンスするＭＡＣヘッダの時間期間フィールドで搬送される予約情報を使用する。仮想キャリア感知メカニズムは、ネットワーク割り当てベクトル（ＮＡＶ）と呼ばれる。無線チャネルは、物理および仮想キャリア感知メカニズムがともに、無線チャネルがアイドルであることを示す場合に限り、アイドルであると決定される。送信のためのデータフレームを伴う局は、まず、固定の継続時間、つまりＤＣＦフレーム間隔（ＤＩＦＳ、DCF inter-frame space）についての無線チャネルを感知することによってＣＣＡを実行する。無線チャネルがビジーである場合、局は、チャネルがアイドルになるまで待ち、ＤＩＦＳを延期して、次に、（スロットの整数でバックオフタイマーを設定することにより）さらなるランダムバックオフ期間を待機する。バックオフタイマーは、アイドルスロットごとに１つずつ減らし、チャネルがビジーであると感知されるとフリーズする。バックオフタイマーがゼロに到達すると、局は、データ送信を開始する。チャネルアクセス手順３４０は、図３Ｄに示される。
【００４９】
アンライセンススペクトルにおける動作の法的要件を満たし、ＷｉＦｉのような他の無線アクセス技術（ＲＡＴ）と共存するため、アンライセンススペクトル上の送信は、時間的に継続的または永続的にすることができない。むしろ、要求に応じて、オン／オフまたは日和見的送信および測定が採用されてよい。
【００５０】
さらに、高周波数帯域における、特に２８ＧＨｚから６０ＧＨｚ（または７３ＧＨｚ以上まで）の帯域における動作の場合、これらは概して、マイクロ波（一般に６ＧＨｚ未満）とは非常に異なる伝搬特性を有するｍｍＷａｖｅの管理体制に属する。たとえば、ｍｍＷａｖｅは、マイクロ波の場合より距離にわたるより高いパスロスを経験する。いくつかの周波数において、酸素／空気吸収などに起因する追加の損失は、無視できないこともある。加えて、高周波数において、波長、アンテナサイズ、およびアンテナ間隔はすべて、低周波数における場合より小さくでき、１つの直接的な結果は、受信機においてアンテナエレメントが、低周波数の場合ほど多くないエネルギーを取り込むことである。これらの要因は、ｍｍＷａｖｅのカバレッジの範囲を大きく縮小し得る。したがって、高周波数帯域は、マクロセル動作よりスモールセル動作により適切であり、これらは一般に、効率的な送信のために膨大な数のアンテナ（たとえば、＞１６、および場合によっては数百にもなることがある）でのビームフォーミングに依存する。高周波数においては、小さい波長、アンテナサイズ、およびアンテナ間隔により、膨大な数のアンテナを伴うノードを装備することが実現可能であることに留意されたい。結果として、膨大な数のアンテナにより形成されるビームは、たとえば１０度またはさらに小さいビーム幅を有しており、非常に狭くなる可能性がある。際立って対照的に、従来の無線通信において、ビーム幅は概して、数十度などのはるかに広い。一般に、狭いビームはｍｍＷａｖｅの特徴であると見なされる。一般的な経験則として、マッシブＭＩＭＯによるビームフォーミングゲインは、Ｎ×Ｋにより大まかに推定されることができ、ここで、Ｎは送信アンテナの数であり、Ｋは受信アンテナの数である。これは、チャネルマトリクスＨの２ノルムが、（Ｎ×Ｋ）1/2に従って大まかに拡大縮小されるからであり、したがって、送信ノードによるプリコーディングベクトルがｐであり、受信ノードによる合成ベクトルがｗである場合、そのとき、結合チャネルはｗ’Ｈｐであり、適切にｗおよびｐを選択することによって、エネルギーの結合チャネルゲインは、より少ないアンテナの場合よりはるかに高いＮ×Ｋを達成することができる。現在、ｍｍＷａｖｅ帯域のほとんどが、セルラー通信のための専用のライセンスキャリアとして割り当てられていないが、帯域のうちのいくつかは、アンライセンスキャリアとして、セルラーにより使用可能であることができる。将来、さらに多くのｍｍＷａｖｅ帯域が、アンライセンスキャリアまたはライセンスキャリアのいずれかとして、セルラーにより使用可能であってよい。
【００５１】
したがって、スモールセルネットワークのさらなる進化を考慮すると、主要なシナリオは、ノード密度の側面およびスペクトルの側面において豊富なリソースを備えるスモールセルネットワークであってよく、ここで、スペクトルリソースは低周波数（３ＧＨｚ以下または６ＧＨｚ以下）および／または高周波数（６ＧＨｚまたは２８ＧＨｚ超）、および／またはアンライセンス／共有ライセンス／ライセンス帯域にあってよいことが理解されよう。具体的には、アンライセンススペクトルで動作しているＬＴＥが、アンライセンスＬＴＥ（Ｕ−ＬＴＥ）またはアンライセンス上のＬＴＥ（ＬＴＥ−Ｕ）、またはＬＴＥを使用するライセンス支援のアクセス（ＬＡＡ−ＬＴＥ）と呼ばれる場合。これらのシナリオにおいて、スモールセルは概して、より広いエリアのマクロセルで覆われている。そのようなシナリオは、ホットエリアと呼ばれてよく、それはホットスポットと比較すると拡張されたエリアを示す。そのようなホットエリアは一般に、ネットワークオペレータによって配備され制御される。そのようなホットエリアについて、柔軟に選択されたリソースでの不連続の、日和見的、またはオンデマンドの送信（ならびに受信）および（信号および／またはさまざまなタイプの干渉の）測定が必要とされる。
【００５２】
実施形態の方法は、適応リソース選択である。換言すると、ネットワークは、ＵＥのために使用されるセルのサブセットおよび／またはキャリアリソースを適応可能に選択してよい。ＵＥの観点からは、ネットワークに含まれることになるより多くのノードリソースおよびスペクトルリソースがあるので、ＵＥは、複数の「セル」を発見することができる（ライセンスコンポーネントキャリア、またはＣＣは一般に、キャリアアグリゲーションに従ってセルと見なされ、他のノードまたはキャリアは、物理セルＩＤに関連していても、または関連しなくてよい仮想セルＩＤを伴う仮想セルまたは一般化セルと見なされてよい）。これらのセルは、（たとえば、低速時間スケールで）ＵＥに対して構成されてよいが、すべてが使用されるわけではない。ネットワークは、セルのサブセットを選択し、（たとえば、ＲＲＣもしくはＭＡＣシグナリングを介して、または高速応答のために物理レイヤシグナリングを介して）ＵＥに信号伝達する。セルがＵＥに対して選択されない場合、それはオフにされて、ディスカバリバースト（ディスカバリＲＳバースト、またはＤＲＳバースト）でのみ送信されてよい。セルが選択される場合、セルは、オンであるか、またはオンにされなければならない。遷移時間は、可能な限り短いことが望ましい。１つの実施形態において、セルの帯域幅はあらかじめ定められていないが、使用のために選択されるときに決定されるか、または送信の処理中に決定される。たとえば、セルおよび／またはＵＥは、スペクトルの使用を感知し、次いであまり占有されていないスペクトルの部分を決定してよい。
【００５３】
ネットワーク適応、または適応送信は、既存の手順に基づくスモールセルオン／オフのように、３ＧＰＰにおいて研究されてきた。しかし、主要な焦点では、半静的タイムスケールにおいてスモールセルのオン／オフを達成するために、ハンドオーバー、Ｓｃｅｌｌアクティブ化／非アクティブ化、およびデュアルコネクティビティ手順のような、既存の手順を再使用してきた。オン／オフは、数十ミリ秒から数百ミリ秒であってよい。より高速もしくはより動的なオン／オフ、またはオン／オフ遷移時間（遷移遅延）を短縮した高度に日和見的な送信／受信／測定は、より高いパフォーマンスゲインをもたらし、Ｕ−ＬＴＥサポートおよびｍｍＷａｖｅ日和見的使用にとって潜在的に必要であるため、非常に望ましい。したがって、いかなる時において動的オン／オフをサポートする手順および設計が望ましい。一般に、そのようなセルは、アクティブ化されたＳｃｅｌｌであってよい。いくつかの場合には、セルは、単に、アクティブ化されるかまたは非アクティブ化される、構成済みのＳｃｅｌｌとすることができる。
【００５４】
レガシー手順（たとえば、ハンドオーバー、Ｓｃｅｌｌアクティブ化／非アクティブ化）に基づくスモールセルのオン／オフと比較すると、実施形態Ｌ１手順に基づくスモールセルのオン／オフは、その独特の特性、範囲、ターゲット、およびシナリオを有することがある。
【００５５】
実施形態Ｌ１手順に基づくスモールセルのオン／オフは、オン／オフのためにレガシー手順（ハンドオーバーおよびＳｃｅｌｌアクティブ化／非アクティブ化）に依存しなくてよい。加えて、実施形態Ｌ１手順は、その標準の影響を主として物理レイヤに限定することがあり、一般に物理レイヤは上位レイヤより動的で柔軟であるため、上位レイヤ（ＭＡＣ、ＲＲＣなど）への重大な影響に至らないことがある。しかし、上位レイヤによる必要なサポートは、除外されないことがある。
【００５６】
実施形態Ｌ１手順は、結果として、ハンドオーバーおよびＳｃｅｌｌアクティブ化／非アクティブ化のような既存の手順に基づくオン／オフと比較して、短縮された遷移時間をもたらすことがある。実施形態Ｌ１手順は、高速なオン／オフにつながることがあり、一方、既存の手順によるオン／オフは、半静的オン／オフのカテゴリに分類される。
【００５７】
３ＧＰＰ３６．１３３によれば、有効なＲＲＭ測定が使用可能である場合、そのとき、２４ｍｓ未満のアクティブ化時間は、既存のＳｃｅｌｌアクティブ化／非アクティブ化に基づいて実現可能とすることができる。２４ｍｓは、４ｍｓのＭＡＣ  ＣＥデコーディング時間、およびＤＬ送信の少なくとも４つのサブフレームを含む。ＴＤＤ構成０によるＴＤＤキャリアの場合、ＵＥが４つのＤＬサブフレームを受信するために２０ｍｓを要する。ＦＤＤの場合、ＵＥが４つのＤＬサブフレームを受信するために４ｍｓだけ要するので、２４ｍｓより高速な遷移時間が、レガシーＳｃｅｌｌアクティブ化手順により実現可能とすることができる。
【００５８】
実施形態Ｌ１手順は、より高速な遷移をもたらすことがある（それ以外の場合、ネットワークは単にＳｃｅｌｌアクティブ化／非アクティブ化手順に依存することができる）。３ＧＰＰ  ＴＲ３６．８７２において結論づけられているように、短縮された遷移時間は、より優れたパフォーマンスをもたらす。したがって、ＵＥの複雑性を大幅に増大させることなく、高い信頼性で達成可能である場合、サブフレームレベルのＳｃｅｌｌオン／オフは検討されてよい。実現可能な遷移時間スケールは、後に分析される。したがって、遷移時間が、最悪の場合に１無線フレーム（１０ｍｓ）の継続時間より長くならないことを目標とすることが望ましく、サブフレームレベルの遷移が望ましく、またはサポートされてもよい。
【００５９】
さまざまなシナリオは、さまざまな要件、およびさまざまな設計を規定することがある。次のシナリオの一部または全部は、実施形態Ｌ１手順について考慮されてよい。１）共同設置対非共同設置：高速オン／オフで動作するＳｃｅｌｌはＰｃｅｌｌと共同設置または非共同設置されてよい、２）帯域間ＣＡ対帯域内ＣＡ：高速オン／オフで動作するＳｃｅｌｌは、Ｐｃｅｌｌと異なる帯域または同じ帯域にあってよく、帯域内の場合、ＳｃｅｌｌおよびＰｃｅｌｌのキャリアは隣接または非隣接であってよい、３）同期化対非同期化：高速オン／オフで動作するＳｃｅｌｌは、Ｐｃｅｌｌと時間同期または非同期であってよい。
【００６０】
実施形態Ｌ１手順の設計の複雑性および適応可能性は共に、シナリオを定義するときに考慮されてよい。帯域間および帯域内の少なくとも共同設置および同期化のシナリオは、考慮されてよく、非同期化のシナリオもまた研究されてよい。したがって、同期化のシナリオは、最初に対処されてよく、次いで非同期化のシナリオが、時間／周波数追跡の課題および関連するＵＥ挙動の課題をさらに考慮することによって対処されてよい。
【００６１】
Ｓｃｅｌｌのオン／オフ状態がＵＥにどのように伝達されるかは、ＵＥの複雑性および信頼性に影響を及ぼす。たとえば、ＤＣＩを使用してオン／オフ状態を伝達することは、ＵＥがすでにそのような操作を実行することができるので、ＵＥの複雑性を大幅に増大させることはない。さらに、ＤＣＩがＰｃｅｌｌからのみ送信される場合、ＵＥがＳｃｅｌｌを常時監視する必要はないので、そのとき、指示を受信するためのＵＥの複雑性は低いと見なされる。加えて、指示を搬送するために（たとえば、ＰＤＣＣＨ／ＰＤＳＣＨのような）既存の信号と類似する信号を使用することは、それらの送信が既存のメカニズムによって十分に保護されているので、信頼できるものと見なされる。
【００６２】
一方、ＵＥが、すべてのアクティブ化されたＳｃｅｌｌについてのあらゆるサブフレームで、サブフレームがオン状態またはオフ状態にあるかを自律的に検出する必要がある場合、ＵＥの複雑性は大幅に増大したと見なされる。ＵＥの自律検出は通常、ＲＳ（たとえば、ＣＲＳ）および／または（Ｅ）ＰＤＣＣＨのブラインド検出を伴い、いくつかの場合では、ＵＥは、さらなる（Ｅ）ＰＤＣＣＨデコーディングの試行のためにＲＳの検出を仮定することが必要になることがある。その結果、ＵＥ自律検出の信頼性は、一貫性を有していないことがあり、チャネル品質、ブラインド検出のＵＥ実施、チャネル推定結果、ＵＥとＳｃｅｌｌとの間の同期精度などのさまざまな要因に依存することがある。要因のいずれかによって生じた検出の見落としは、Ｓｃｅｌｌがオフ状態にあるとＵＥに誤解されることがある。
【００６３】
したがって、実施形態Ｌ１シグナリングは、Ｓｃｅｌｌのオン／オフ状態を示すために実施形態Ｌ１手順に導入されてよい。これは、低いＵＥの複雑性および高い信頼性で任意のサブフレームにおいてＳｃｅｌｌの高速オン／オフをサポートすることができる（固有の設計による）。
【００６４】
オフからオンへの遷移において時間／周波数トラッキングおよび自動ゲイン制御を可能にするため、時間／周波数トラッキングは、実施形態Ｌ１手順が設計されるシナリオ（たとえば、同期または非同期）に大きく依存することがある。時間同期のシナリオが検討される場合、Ｓｃｅｌｌの時間／周波数トラッキングは、Ｐｃｅｌｌに依存することができ、オフからオンへの遷移中にトラッキングに時間を費やされる必要はない。非同期または粗い同期キャリアが想定される場合、時間／周波数トラッキングを達成するためにある程度の時間が許容されてよく、初期時間／周波数トラッキングのための正確なサブフレームの数は、ディスカバリ基準信号（ＤＲＳ）設計などの設計に依存する。たとえば、ＤＲＳ設計が、１つのＤＲＳ出現から得られるタイミングが次のＤＲＳ出現まで（たとえば、３μｓ以内）保持されることが可能である場合、そのとき、初期時間トラッキングにゼロのサブフレームが必要とされ、それ以外の場合、２つ以上のサブフレームが必要となることがある。
【００６５】
ＲＦ同調（ＲＦがオンであると仮定して）およびＡＧＣ設定によって生じた遷移遅延は、研究されてきた。これらの関連する研究から、ＲＦ同調およびＡＧＣ設定によって生じた遅延が、多くても、２〜３の１４０μｓのＯＦＤＭシンボル継続時間であることがあると推定してよい。しかし、１４０μｓの２つのシンボルは、周期的ＤＲＳ／ＣＳＩ−ＲＳが送信されることが可能であれば、アクティブ化Ｓｃｅｌｌ高速オン／オフの場合に緩い上界であってよい。通常の遅延は、そのような場合には０シンボルであるか、またはいくつかの場合では多くとも１シンボルであってよい。これは、ＵＥが、そのＲＦおよびＡＧＣを最新のＤＲＳ／ＣＳＩ−ＲＳに基づかせることができるからである。これには、標準化サポートが必要となる、つまり標準がＵＥに、最新のＤＲＳ／ＣＳＩ−ＲＳに基づいてそのＲＦ／ＡＧＣを設定するよう求める必要があり、これが新たなＵＥ挙動であることに留意されたい。通常、ＤＲＳ周期性は数十ミリ秒であり、ＣＳＩ−ＲＳ周期性は５ｍｓおよび数十ミリ秒であるので、少なくともアナログＡＧＣは引き続き有効であり、デジタルＡＧＣは余分な遅延を生じることなくデジタルに調整されることが可能である。要約すると、低いＵＥモビリティ、同期ネットワーク、および時間の十分な密度を伴う周期的ＤＲＳ／ＣＳＩ−ＲＳ送信の場合、時間／周波数トラッキング、ＲＦ同調、およびＡＧＣ設定に必要とされる遷移時間は、ごくわずかであり得るので、簡略化された設計が実現可能であってよい。他の場合、遷移時間を明らかにするために追加の設計が必要とされる。
【００６６】
図８は、レイヤ１手順８００の実施形態を示す図である。ＵＥは、Ｓｃｅｌｌの監視を開始するためのインジケータを受信しない限り、ＤＲＳまたは周期的ＣＳＩ−ＲＳまたは周期的ＣＲＳ（その存在および周期性は構成可能である）を含むサブフレームを除きアクティブ化されたＳｃｅｌｌを監視しない。ＵＥがシグナリングを受信した後、それは（Ｅ）ＰＤＣＣＨを監視し始め、複数のサブフレームのデータを受信することがある。最後に、ＵＥは、それがＳｃｅｌｌの監視を停止するためのインジケータを受信した後、Ｓｃｅｌｌを監視するのを止める。
【００６７】
低いＵＥの複雑性および高い信頼性で任意のサブフレームにおいてスモールセルのオフからオンへの遷移をサポートするため、Ｓｃｅｌｌのオフからオンへのインジケータは、多くの実施形態においてＵＥが常に監視するＰｃｅｌｌから送信されてよい。Ｓｃｅｌｌのオンからオフへの遷移の場合は、ある種の暗黙的指示が可能であることがある。たとえば、監視停止インジケータは、特定の時間にわたり（Ｅ）ＰＤＣＣＨの不在に基づいて暗黙的であることがある。しかし、いくつかの場合では、オフからオンおよびオンからオフへの指示について、統一的な解決策を有することは、簡単であり有益であり得る。したがって、指示ビットが使用されるように、Ｓｃｅｌｌのオフからオンおよびオンからオフへの指示の両方に明示的ＤＣＩメッセージを使用することも検討されてよい。指示ビットがＳｃｅｌｌに対して設定されると、次にそれはＳｃｅｌｌがオンになることを示し、それ以外の場合、Ｓｃｅｌｌはオフになる。複数のＳｃｅｌｌの状態遷移を指示するために、ビットマップが形成されてＰｃｅｌｌから送信されることが可能であり、ビットとＳｃｅｌｌとの間のマッピングは、ＲＲＣシグナリングにおいて事前定義されることが可能である。もう１つのビットは、直接にオン／オフ状態を指示することに加えて、Ｓｃｅｌｌの状態変化を指示するためなどの必要に応じて、各Ｓｃｅｌｌごとに追加されることが可能である。これは、同じＳｃｅｌｌについて、そこにアタッチされたＵＥが異なる状態（監視中または監視中ではない）を有することがあるので、必要とされることがある。Ｓｃｅｌｌのオン／オフ状態を送信することだけで、インジケータを受信すると強制的に監視を開始または停止するようＵＥに強制するが、いくつかの場合は、ネットワークがＵＥに単にそれらの現在の状態を保持するよう求めるのであれば、これは望ましくない。たとえば、ビット１は、ＵＥがそれらの現在の状態を保持し得るか、またはビット２に従って更新し得るかを指示するために使用され、ビットはオン／オフを指示するために使用される。あるいは、Ｓｃｅｌｌ識別子は、インジケータと共に搬送されてよい。たとえば、ｅＮＢは、Ｓｃｅｌｌ１がオンになる、オフになる、またはＵＥがそれらの現在の状態を保持もしくは反転させ得ることを１または２つのビットで指示してよい。もう１つの実施形態は、状態が反転されるか、またはオン／オフ状態を指示することなく保持される必要があるかどうかを単に指示することであるが、これは、ＵＥが１つのインジケータを見逃した場合に、それ以降正しく機能しないことがあり得るという欠点を有することがある。たとえば、ｅＮＢは、ＵＥがそれらの現在の状態を保持もしくは反転させ得るかどうかを１つのビットで指示してよい。要約すると、さまざまな実施形態は、オン切替えとオフ切替え、現在の状態の反転と現在の状態の保持、という可能性のある状態を信号伝達するために提供されることができる。状態の１または複数が、指示されることがある。
【００６８】
上記の設計により、ＵＥは、Ｐｃｅｌｌからオン状態の指示を受信するとＳｃｅｌｌのＲＳ／（Ｅ）ＰＤＣＣＨを監視し始め、Ｐｃｅｌｌからオフ状態の指示を受信するとＳｃｅｌｌを監視するのを止める。オン状態の指示は、明示的ＤＣＩシグナリングであるか、またはＳｃｅｌｌアクティブ化シグナリングであってよい。オフ状態の指示は、明示的ＤＣＩシグナリングであるか、またはＳｃｅｌｌ非アクティブ化シグナリングであってよい。オン／オフ状態インジケータは、ＵＥに対して監視インジケータおよび非監視インジケータとしての役割を果たす（ただし、構成されたＤＲＳ／ＣＳＩ−ＲＳを伴うサブフレームは、ＵＥに対してＳｃｅｌｌがアクティブ化される場合、ＵＥによって常に監視されることに留意されたい）。手順およびＵＥ監視の挙動の１つの実施形態は、図８に示される。監視／非監視インジケータが明示的または暗黙的であってよいことに留意されたい。非監視インジケータの実施形態は、非アクティブなタイマーに基づいてよい。インジケータのもう１つの実施形態は、ＤＲＸ構成に基づいてよい、つまり、ＵＥがＤＲＸに入ると、それは監視するのを止め、それがオン期間に入りＤＲＸサイクルのアクティブ時間に、それはキャリアを監視する。ＤＲＸベースの実施形態、および非ＤＲＸベースの実施形態は、組み合わされてよい。監視期間において、ＵＥは、自身またはクロスキャリアの（Ｅ）ＰＤＣＣＨスケジューリングに基づいてＰＤＳＣＨを受信することがある。（Ｅ）ＰＤＣＣＨによってスケジュールされたサブフレームにおいて、ＵＥは、ＰＤＳＣＨおよびＣＲＳ／拡張ＲＳを監視する。監視期間の他のサブフレームにおいて、１つの設計では、ＣＲＳは後方互換性のために引き続き存在することがあるが（つまり、ＵＥのキャリアについての仮定はＲｅｌ−１１と同じである）、別の設計では、ＣＲＳは、すべての非ＰＤＳＣＨサブフレームまたはすべての非ＰＤＳＣＨ／ＣＳＩ−ＲＳサブフレームに存在しないことがある（つまり、キャリアは実施形態のキャリアタイプとして機能する）。非監視期間において、ＵＥは、Ｓｃｅｌｌ上の構成されたサブフレームでそれぞれ、ＤＲＳおよびＣＳＩ−ＲＳのみを監視する。しかし、ＣＳＩ−ＲＳサブフレームで、ＣＲＳは、後方互換性のために引き続き存在するか、または実施形態のキャリアタイプとして存在しないことがある。これら以外は、非監視期間中に監視され得る送信はない。しかし、上記のＵＥ監視および非監視動作は、主として、オン／オフを実行するＳｃｅｌｌのためのものであり、ＵＥが、オン／オフを実行しないＰｃｅｌｌおよび他のＳｃｅｌｌを常に監視することに留意されたい。したがって、ＵＥが、Ｓｃｅｌｌのオン／オフ状態にはかかわりなくＳｃｅｌｌについてＰｃｅｌｌ（または別のＳｃｅｌｌ）から指示および／またはスケジューリング情報を常に受信できることが実現可能である。指示／クロスキャリアスケジューリングは、ＵＥ固有であってよい。それは、Ｓｃｅｌｌの、次のサブフレームではなく、現在のサブフレームを監視するようＵＥに伝達するか（データのショートバースト、またはＳｃｅｌｌチャネルを測定する機会、更新タイミングなどをＵＥに提供するために有用であることがある）、または特に通知のない限り現在のサブフレームからＳｃｅｌｌを監視するよう（または監視しないよう、それぞれ）ＵＥに伝達（ＵＥグループ固有の方法ではなく、ＵＥ固有の方法でＵＥ監視の挙動を変更するために有用であることがある）してよい。したがって、たとえ明示的ＤＣＩが監視を指示していない場合であっても、クロスキャリア指示または監視に関するスケジューリング情報を受信すると、ＵＥは、指示／スケジューリング情報に従って動作する。全体として、これは、ネットワークにより大きい柔軟性をもたらす。ＰｃｅｌｌとＳｃｅｌｌとの間のサブフレーム境界が整合されている場合、そのときＵＥは、Ｓｃｅｌｌサブフレーム（または少なくとも最初のいくつかのシンボル）をバッファに入れる必要があり、その間ＵＥは、Ｐｃｅｌｌ制御シグナリングを検出しようと試みる。しかし、Ｓｃｅｌｌのサブフレーム境界が、Ｐｃｅｌｌのサブフレーム境界より遅れている場合、そのときＵＥは、Ｐｃｅｌｌからの指示／スケジューリング情報を見つけた後にＳｃｅｌｌをバッファに入れることを開始することができる。
【００６９】
ＵＥは、それがＤＣＩのオフからオンへのインジケータを受信するサブフレーム上のＳｃｅｌｌのＲＳ／（Ｅ）ＰＤＣＣＨの監視を開始することがある。ＵＥがＳｃｅｌｌから受信するために必要とされる短い遷移時間がある場合がある。同期キャリアおよび周期的ＤＲＳ／ＣＳＩ−ＲＳ送信の場合には、トラッキング、ＲＦ同調、またはＡＧＣ設定のために必要とされる時間はない。しかし、１つのＯＦＤＭシンボル継続時間は、インジケータ検出のために必要となることがある。つまり、ＵＥは、遷移の第１のサブフレームの第３のＯＦＤＭシンボルから開始するＳｃｅｌｌから受信することがある。一方、ＵＥがＳｃｅｌｌと同期されず、および／またはＲＦ同調およびＡＧＣ設定が必要な場合、それは（Ｅ）ＰＤＣＣＨをデコードできるかまたはデータを受信できる前に、ある長い継続時間にわたりＳｃｅｌｌからいくつかの信号（たとえば、ＣＲＳ／ＰＳＳ／など）を受信する必要がある。
【００７０】
実施形態は、フレーム構造が遷移のための２つのＯＦＤＭシンボル継続時間に基づいて設計され、Ｓｃｅｌｌサブフレーム境界がＰｃｅｌｌサブフレーム境界と整合されるものである。つまり、ＤＣＩは、第１のＯＦＤＭシンボルのＰｃｅｌｌで送信され、ＤＣＩのＵＥ検出／デコーディングは、最大１つのＯＦＤＭシンボル継続時間を要する。他の遷移時間は必要とされない。次いで、Ｓｃｅｌｌ送信は、第３のＯＦＤＭシンボルにおいて開始することができる。ＰＤＣＣＨは、このＳｃｅｌｌサブフレームで送信されることはできないが、ＥＰＤＣＣＨは送信されることが可能である。第３のシンボルの前に、レガシー標準による任意の送信でスケジュールされていないＲＥの場合、Ｓｃｅｌｌは、必要に応じて精細な同期、ＲＦ同調／再同調およびＡＧＣ設定に使用されてよいあらゆるものを送信することができる。
【００７１】
実施形態は、フレーム構造が遷移のための３つのＯＦＤＭシンボル継続時間に基づいて設計され、Ｓｃｅｌｌサブフレーム境界がＰｃｅｌｌサブフレーム境界と整合されるものである。つまり、ＤＣＩは、第１のＯＦＤＭシンボルのＰｃｅｌｌで送信され、ＤＣＩのＵＥ検出／デコーディングは、１つのＯＦＤＭシンボル継続時間を要し、次いでＳｃｅｌｌは、第３のシンボルで信号（データではない）を送信する。データは、第４のシンボルから送信され、制御情報は、他のセル（たとえば、Ｐｃｅｌｌ）から生じることだけが可能である。第３のシンボルでＳｃｅｌｌによって送信された信号は、精細な同期化が必要である場合、ＲＳを含むことができ、ＲＦ同調／再同調およびＡＧＣ設定が必要とされる場合、任意の信号を含むことができる。
【００７２】
実施形態は、フレーム構造が遷移のための５つのＯＦＤＭシンボル継続時間に基づいて設計され、Ｓｃｅｌｌサブフレーム境界がＰｃｅｌｌサブフレーム境界と整合されるものである。つまり、ＤＣＩは、第１および場合によっては第２／第３のＯＦＤＭシンボルのＰｃｅｌｌで送信され、ＤＣＩのＵＥ検出／デコーディングは、１つのＯＦＤＭシンボル継続時間を要し、次いでＳｃｅｌｌは、レガシー標準に従って送信される、第５のシンボルでＣＲＳを送信する。データは、第６または第７のシンボルから送信され、制御情報は、他のセル（たとえば、Ｐｃｅｌｌ）から生じることだけが可能である。第６のシンボルの前に、レガシー標準による任意の送信でスケジュールされていないＲＥの場合、Ｓｃｅｌｌは、必要に応じて精細な同期、ＲＦ同調／再同調およびＡＧＣ設定に使用されてよいあらゆるものを送信することができる。
【００７３】
実施形態は、Ｓｃｅｌｌがアクティブ化された後、ＵＥが各サブフレームを監視することを求める。したがって、ＵＥは、各Ｓｃｅｌｌサブフレームをバッファに入れ（しかし、Ｐｃｅｌｌ  ＤＣＩ検出結果が使用可能になるまで、さらなる操作／処理は必要とされない）、その間、それはＰｃｅｌｌ  ＤＣＩをデコードしようと試みる。ＳｃｅｌｌがオンにされるＰｃｅｌｌ  ＤＣＩが検出されない場合、バッファに入れられたサブフレームは廃棄され、それ以外の場合、サブフレームはさらに処理されて、あらゆるシンボルがデータ送信のために使用されることが可能である。
【００７４】
実施形態は、Ｓｃｅｌｌサブフレーム境界を、固定された時間にわたりＰｃｅｌｌサブフレーム境界より遅れるようにシフトする。オフセットは、最大遷移時間として選択されることが可能である。たとえば、ＤＣＩ遷移に１つのシンボル、ＤＣＩ検出に１つのシンボル、およびＡＧＣ設定に１つのシンボルが必要とされる場合、３つのシンボルのオフセットが適用されることが可能である。ＳｃｅｌｌサブフレームがＰｃｅｌｌより３シンボル後に開始しても、Ｓｃｅｌｌは、Ｓｃｅｌｌサブフレーム境界の１サブフレーム前の信号（たとえば、ＡＧＣ設定のＲＳ）を送信することができる、つまりＵＥの直後のシンボルがＤＣＩ検出を完了することに留意されたい。ＵＥは、ＤＣＩが検出された直後に受信を開始する必要があり、サブフレームの最後のシンボルをＳｃｅｌｌから受信する。次いで、Ｓｃｅｌｌの次のサブフレームが開始すると、ＵＥは、そのＡＧＣ（またはタイミング、またはＲＦなど）を正しく設定させることができ、次のサブフレームは、（Ｅ）ＰＤＣＣＨ／ＲＳ／などを伴う完全なサブフレームである。ＯＦＤＭシンボルの数に関して固定のオフセットは、ＳｃｅｌｌがＵＥに追加されると、ＲＲＣシグナリングまたはシステム情報でＵＥに送信されてよい。ＵＥは、２つのキャリアがそのようなオフセットで構成される場合、任意のクロスキャリア指示のオフセットを適用するものとする。１つの実施形態において、各レイヤ上のセルは、整合されたサブフレーム境界を有するが、スモールセルレイヤ（キャパシティレイヤ、Ｕ−ＬＴＥレイヤなど）は、固定のオフセットだけマクロレイヤ（カバレッジレイヤ）より遅れている。
【００７５】
代替は、暗黙的インジケータを使用することである。この場合、Ｐｃｅｌｌは、オン／オフ状態に関していかなる明示的インジケータも送信しない。ＵＥは、あらゆるサブフレームを監視し、このＳｃｅｌｌ上にＲＳおよび／または（Ｅ）ＰＤＣＣＨがあるかどうかを検出する。ＲＳが検出されるが、このＵＥに対して検出される（Ｅ）ＰＤＣＣＨはなく、ＵＥはその測定（ＣＳＩ測定および／またはＲＲＭ測定）を更新することができ、またＲＳは、時間／周波数トラッキングおよびＡＧＣでＵＥを補助することができる。このＵＥに対する（Ｅ）ＰＤＣＣＨが検出されるが、復調に使用されるＤＭＲＳを除いて検出されるＲＳがない場合、ＤＭＲＳがＳｃｅｌｌのどこか他で検出されたＲＳ（そのようなＲＳは拡張ＲＳの一部であってよく、後にさらに説明される）または指定されたＤＲＳと疑似の共同設置に信号伝達されてよい場合があり得る。ＲＳが検出され、このＵＥに対する（Ｅ）ＰＤＣＣＨが検出されて、ＵＥはその測定（ＣＳＩ測定および／またはＲＲＭ測定）を更新することができ、ＲＳは、時間／周波数トラッキングおよびＡＧＣでＵＥを補助することができ、ＲＳはＰＤＣＣＨおよび場合によってはデータの復調に使用されてよい場合があり得る。
【００７６】
明示的インジケータまたは「暗黙的インジケータ」のいずれの場合も、ネットワークは、どのサブフレームでインジケータが送信されてよいかをさらに制限して、ＵＥの監視時間を短縮することがある。ＦＤＤ  ＰｃｅｌｌおよびＴＤＤ  Ｓｃｅｌｌ、ならびにＦＤＤ  ＰｃｅｌｌおよびＴＤＤ  ｅＩＭＴＡ  Ｓｃｅｌｌ、ならびにＴＤＤ  Ｐｃｅｌｌ／Ｓｃｅｌｌなどの場合が検討されてよい。たとえば、ターンオンの遷移は、サブフレーム０（およびサブフレーム５）においてのみ生じてもよく、したがってインジケータはサブフレーム９（およびサブフレーム４）でのみ送信されてよい。２または４サブフレームのような、インジケータとターンオンの遷移との間のより長い遅延もまた、使用されてよい。遅延の後のサブフレームがＤＬサブフレームではない場合、そのとき、ターンオンは、遅延の後の第１のＤＬサブフレームで生じることになる。
【００７７】
図４は、適応リソース選択および日和見的送信／測定４００の実施形態を示す図である。マクロキャリアは通常、Ｐｃｅｌｌとしての役割を果たし、オフにはならない。それは、ＣＲＳおよび他の共通チャネルを定期的に送信する。ＵＥは一般に、ＣＲＳのマクロＣＣ、共通チャネル、他のＣＣに関連するシグナリング、および場合によってはデータを常に監視する。マクロＣＣに加えて、ＵＥは、複数のセルを（たとえば、ＤＲＳによって）発見しており、それらのうちのいくつかは可能な送信ポイントとしてＵＥに構成されてよい。ノード１およびノード２は、ライセンススペクトルで動作するスモールセルであってよく、それぞれが２つ以上のＣＣ、たとえばＣＣ１およびＣＣ２を有することがある。それらは、高速バックホールを介して接続されてよい。それらは、長いデューティサイクルでＤＲＳを定期的に送信することがある。それらは、測定／送信が必要とされない限り、非ＤＲＳバーストでオフにされてよい。たとえば、マクロは、次のサブフレームにおいて（０サブフレーム、１サブフレーム、またはさらに多くのサブフレームの遅延で）、ノード１および／またはノード２がＣＣ１／ＣＣ２でＲＳおよび／またはデータを送信することがあると指示してよい。次いで、ノードは、オンにされてよく、ＵＥは、監視およびＣＳＩレポートのフィードバックを開始する。
【００７８】
チャネル品質、干渉協調目的、負荷分散／移動などに応じて、動的ポイント選択（ＤＰＳ、または動的ポイントブランキングの略ＤＰＢ）が実行されてよい。Ｒｅｌ−１１  ＣｏＭＰで使用されるＤＰＳとは異なり、ここで、セルが選択されない場合に、ＲＳ送信はオフにされてよく、セルが選択される場合に、ＲＳ送信はオンにされてよい。スケジューリング情報は、マクロまたはいずれかのセルからであってよいが、シグナリングは、次の数個のサブフレームのセルのサブセットにおいてなど、ＵＥがどのようにスケジューリングを受信することがあるかを指示するために、送信側セルから送信されてよい。同様に、セルは、アンライセンススペクトルのセル（たとえば、ノード３  ＣＣ３およびノード３  ＣＣ４）を監視するようＵＥにさらに指示することがある。これらのセルは一般に、周期的測定を使用しないので、非周期的な測定がリンク適応機能を提供するためにトリガーされてよい。通常、測定は、アンライセンスセルでのデータ送信に先行することがあるが、それらはまた、セルが選択される場合に同時に送信されてよく、場合によってはより高いデコーディングエラー確率を伴うか、または測定結果がネットワークにより取得されるまで控えめなデータ送信を伴う。
【００７９】
図５は、リンク適応の要求に応じたＣＳＩ測定／フィードバックの設計の実施形態の方法５００を示す図である。図５において、ＣＣ１は、ＵＥが監視しているキャリアであってよい（たとえば、ＣＣ１はＰｃｅｌｌまたはアクティブ化されたＳｃｅｌｌであってよい）。ＣＣ２は、日和見的オン／オフセルであり、ＣＣ１との高速バックホールを有する。ＣＣ２によって送信されるＣＳＩ測定およびレポートのＤＬ  ＲＳは、それが選択されていない場合にはないことがある。ＣＣ２での送信をサポートするため、ＣＣ１は、ＣＣ２の非周期的ＣＳＩトリガーを送信することがある。同時に、ＣＣ２は、ＲＳ送信を開始することがある。トリガーを受信すると、ＵＥは、ＣＣ２（および場合によってはデータ）の監視を開始する。非周期的ＣＳＩレポートが生成されて、ネットワーク（たとえば、ＣＣ１）に送信されてよい。ＣＳＩレポートにより、ＣＣ２は、その送信のためのリンク適応を適宜実行することができる。次いで、ＵＥとＣＣ２との間の操作は、ＣＳＩ測定の周期的ＲＳが送信されることがあり、周期的ＣＳＩレポートが実行されることがあるような既存のものと類似してよい。あるいは、ＵＥは、ＲＳの存在を決定するためにＲＳ検出に依存することがある。たとえ非周期的トリガーが現在の仕様で定義されているものを再使用することがあるとしても、それは引き続き従来のシナリオにおけるようなさまざまＵＥの挙動に至り、ＵＥはそのＣＳＩ測定のＲＳを受信しているが、測定レポートはトリガーが受信されるまで生成またはレポートされないことがあることが分かる、一方、実施形態のシナリオにおいては、ＵＥはトリガーが受信されるまでそのＣＳＩ測定のＲＳを受信しないことがある。
【００８０】
非周期的ＣＳＩトリガーは、既存のものより多くの情報を含むことがある。たとえば、それは、少なくともＵＥがどのくらい長くＣＣ２を監視することがあるかをＵＥに伝えることがある（たとえば、それは、少なくとも５つのサブフレームを監視するようＵＥに伝えることがあるが、第５のサブフレームでデータを引き続き受信しているＵＥを除いて、ＵＥはそれらの５つのサブフレームの後に監視を継続することができる）。オン切替えまたはＣＣ２は、１つのＵＥのみのものではないことがあり、複数のＵＥが、トリガーを受信する必要があってよい。この場合、グループＤＣＩは、複数のＵＥによる測定およびレポートをトリガーするために使用されてよい。トリガーはまた、２つ以上のセルを指定するために使用されてよい。たとえば、それは、いくつかのセルを監視するようＵＥのグループに依頼することがある。
【００８１】
図６は、Ｕ−ＬＴＥで動作している、リンク適応の要求に応じたＣＳＩ測定／フィードバックの実施形態のシステム６００を示す。ＣＣ１は、ＵＥが監視しているセルラーセルであってよく、ＣＣ２は、アンライセンスキャリアで動作し、ＣＣ１との高速バックホールを有する（たとえば、ＣＣ１およびＣＣ２は共同設置される）日和見的オン／オフセルであってよい。一般に、ＣＣ２によって送信されるＣＳＩ測定およびレポートのＤＬ  ＲＳは、それが選択されていない場合にはない。加えて、ＣＣ２は、一定期間にわたりアンライセンスキャリアで送信を感知しなくなるまで送信することができない、つまりＣＣ２はチャネルを使用する前にクリアチャネル評価（ＣＣＡ）を実行する必要がある。
【００８２】
ＣＣ２での送信をサポートするため、最初に、ＣＣ２は、サブフレームの最後の数個のＯＦＤＭシンボルでＣＣＡを実行してよい。チャネルがクリアである場合、そのときＣＣ１はＣＣ２の非周期的ＣＳＩトリガーを送信することがあり、それ以外の場合、ＣＣ２は、サブフレームの連続番号にわたりＣＣＡを繰り返すことがある。一般に、トリガーは、成功したＣＣＡに続くサブフレームのそのＰＤＣＣＨにおいてＣＣ１によって送信され、次いでＵＥは、多くても数シンボルの継続時間でトリガーを検出してデコードすることがある。次いで、トリガーの最後以降のそのサブフレーム内のシンボルｘから、ＣＣ２はＲＳ送信を開始してよい。トリガーを受信すると、ＵＥは、ＣＣ２（および場合によってはデータ）の監視を開始する。非周期的ＣＳＩレポートが生成されて、ネットワーク（たとえば、ＣＣ１）に送信されてよい。ＣＳＩレポートにより、ＣＣ２は、その送信のためのリンク適応を適宜実行することができる。実施形態において、ＣＣ２は、ＣＣＡの後のチャネルを予約する必要があってよい。ＣＣ２はまた、トリガーが送信されるサブフレームの最初の数シンボルまでＣＣＡを実行し、ＣＣＡの直後にＲＳを送信してよい。トリガーは、代わりにＣＣ１のＥＰＤＣＣＨで送信されてよく、これはサブフレームの最後のシンボルを占有するが、通常は最初の数シンボルではない。この場合、トリガーを含むＣＣＡおよびＥＰＤＣＣＨは、１つのサブフレームで行われてよい。次いで、ＲＳ／データ送信は、ＥＰＤＣＣＨの後のサブフレームからのみ開始することができる。ＵＥが、ＥＰＤＣＣＨを検出してデコードし、ＣＣ２の監視に備える時間を有することを確認するため、ＲＳ／データ送信は、そのサブフレームの最初の数ＯＦＤＭシンボルを避けることがある。ＣＳＩ−ＲＳは、ＤＬ  ＲＳの適切な候補であってよい。あるいは、ＣＲＳが使用されることになる場合、それはそのサブフレームの第２のスロットでのみ送信されてよい。
【００８３】
図８のような上記の説明では、ＣＣＡがサブフレームの最後にあり、次のサブフレームがＣＣＡを行わず制御／データ送信のみを開始するという仮定に基づいているが、サブフレーム境界の定義はまた、ＣＣＡがサブフレームの始めにあると見なされるように変更されることも可能であることが指摘されるべきである。結果として得られるフレーム構造は、ＰＤＣＣＨ／ＥＰＤＣＣＨが関連付けられているＯＦＤＭシンボルの範囲が縮小されることを除いて、類似している。この変更は、フレーム構造の上記およびすべての下記実施形態に適用可能である。
【００８４】
ＲＳおよび場合によってはデータ送信が、ＣＣ２のサブフレームの最初の数シンボルで生じないことがあることに留意されたい。言い換えれば、ＣＣ２がこの手順を開始するごとに、数シンボルが失われることがある。そのような日和見的送信が頻繁に生じ、各送信が長くない場合、オーバーヘッドは高いことがある。あるいは、ＣＣ２は、図７のシステム７００によって示されるように、ＣＣ１から時間シフトされてよい。簡略にするため、シフトはスロットであってよいが、それは１または複数のＯＦＤＭシンボル継続時間のような他の継続時間である場合がある。次いで、ＲＳおよび場合によってはデータは、トリガーが送信された直後にＣＣ２によってサブフレームで送信されることが可能である。ＵＥは、（ＣＣ１サブフレームタイミングに基づいて）ＣＣ１からトリガーを受信し、それは、ＲＳおよび場合によってはデータに対するその直後にＣＣ２のサブフレームをバッファに入れることを開始する。ライセンスキャリアは、同じサブフレーム境界を有することがあり（許容可能なタイミングエラーの傾向がある）、アンライセンスキャリアは、ライセンスを基準タイミングとして使用するが、サブフレーム境界の（場合によっては共通の）シフトを伴う。したがって、ネットワークおよびＵＥが２つのタイミング（関連しているが）を保持することを犠牲にして、アンライセンスサブフレームは十分に利用されることが可能である。
【００８５】
実施形態において、ＤＬ  ＲＳは、動的オン／オフスキームにより良好に適させるための機能拡張であってよい。ＲＲＭ測定に一般に使用されるＤＲＳの場合、Ｕ−ＬＴＥシステムのようなシステムにおいて、それらは、機会が存在するかどうかに応じて、周期的に送信することができないことがある。この課題を解決するための１つの方法は、トリガーベースのＤＲＳ（引き続きＤＲＳと呼ばれるかまたは他の何らかのＲＳと呼ばれてよい）送信、測定、および／またはレポートを使用することである。言い換えれば、ＤＲＳは、ｅＮＢが送信機会を捕らえた後に限り送信されることがあり、ｅＮＢは測定を実行するためにＵＥに通知することができる。この場合、ネットワークは、ＵＥがこのトリガーの例についてＲＲＭ測定をレポートすることもあるかどうかの別のインジケータを提供してよい。
【００８６】
ＤＲＳバーストに含まれるいくつかの信号はまた、ＣＳＩ測定、トラッキングなどに使用されてよい。それでもなお、Ｓｃｅｌｌがオンになるとき、旧式のＣＳＩのみが使用可能であるという事態が引き続き生じることがある。ＣＳＩ測定のための拡張ＲＳが使用されてよい。ＲＳは、トリガーの後の最初サブフレームで可能な限り早期に生じることがある。ＲＳは、フルパワーで送信されてよい。ＲＳは、全帯域幅を占有することがある。適切なミューティング／直交化は、ＣＲＳのＰＤＳＣＨミューティング、非ゼロパワーＣＳＩ−ＲＳに対するゼロパワーＣＳＩ−ＲＳ、重複したＲＥの異なるセルの巡回シフトのようなＲＳのＳＩＮＲを改善するために使用されてよい。１つの例は、サブフレームの最初のシンボルでの、巡回シフトされた拡張ＣＳＩ−ＲＳである。そのような拡張ＲＳは、ＣＳＩ測定精度およびトラッキングパフォーマンスを大幅に高めることができる。この拡張ＲＳは、後においてさらに説明される。そのような拡張ＲＳにより、時間領域内のＲＳの密度は、信頼性のあるＣＳＩ測定を保証するために非常に高くする必要はなくなる。干渉測定を考慮に入れるため、ＩＭＲはまた、ＣＳＩ−ＩＭＲまたは巡回シフトベースのＩＭＲのような、サブフレームの最初のシンボルで構成されてよい。そのような拡張ＲＳは、あらゆるデータ搬送のサブフレームに出現する必要はないが、少なくとも、これらが送信されることが可能なオン切替え後の初期サブフレームの場合を除く。それらはまた、オン切替え後で、オフ切替え前に周期的であることが可能である。
【００８７】
たとえ拡張ＲＳであっても、オン切替え後の最初の数サブフレームにおいて、最新または正確なＣＳＩは使用可能ではないことがある。ネットワークは、（オープンループＭＩＭＯ、送信機多様性のような）控えめなＭＣＳおよび送信スキームのような、控えめなスケジューリングおよび送信に依存することがある。ＭＣＳおよび送信スキームは、クローズドループＭＩＭＯまたはＭＵ−ＭＩＭＯのような、より信頼性の高いＣＳＩが使用可能になった後に更新されてよい。送信モードの変更は、必要に応じて、ＤＣＩで指示されるか、またはＣＳＩ可用性遅延に関連付けられている固定の遅延（たとえば、５ｍｓ）として指定されてよい。
【００８８】
アンライセンスキャリア上のネットワークノードは、チャネル使用を定期的に監視する必要があり、ＵＥはこのために構成されることがある。これらの目的のため、これらのセルは、いくつかの時間／周波数リソースであらゆるものを送信するわけではないことがある。同じオペレータによって制御されるセルの場合、それらは同時にミュートすることがあり（すべてのチャネルで広帯域、通常ＷｉＦｉチャネルに整合）、ＵＥは送信を行うことはない。これは、周期的に行われてよい。ブランクのサブフレームパターンが使用されてよいか、または、スロット／シンボル、またはそれらの混合のような、より小さい時間細分性が使用されてよい。ｅＩＣＩＣに定義されているような既存のブランキングパターンは、再使用されてよいが（およびシグナリングメカニズムも同様）、オールモストブランクサブフレーム（ＡＢＳ）の代わりに、ブランクサブフレームが使用される。セルはミュート継続時間に感知し、それらは他のＵ−ＬＴＥシステムまたはＷｉＦｉシステムによる送信を感知することがある。統計は、記録されて、Ｕ−ＬＴＥシステムにおけるリソース割り当て／回避を協調するため、およびＷｉＦｉシステムの対話にアクセスするためにネットワークによって使用される。
【００８９】
これまで見てきたように、低周波数または高周波数で、ライセンスまたはアンライセンスのスペクトルでキャリアの動的オン／オフをサポートするため、またはアンライセンススペクトルでＬＴＥと類似のシステムをサポートするため、拡張ＲＳおよび関連する実施形態のＵＥ挙動は重要である。さらなる説明がここで行われる。実施形態において、拡張ＲＳ（ｅＲＳ）は、コンポーネントキャリアの全帯域幅を占有することがある。ＲＳは、図９Ａに示されるように、サブフレーム９００の最初のＯＦＤＭシンボルに位置してよい。ＲＳは、周波数領域においてハイパワーおよび高密度で送信されてよい。ＲＳ伝搬サブフレームは、キャリア送信のためにオンにされると直ちに送信されてよい。キャリアのオン切替えがＵＥの観点からのものであってよいことに留意されたい。キャリアのオン切替えは、クロスキャリアスケジューリング方法または、非周期的ＣＳＩレポート要求のような他のトリガー方法を使用して別のキャリアによって指示されてよい。オン切替えはまた、ＵＥ自律検出によって暗黙的に指示されてよい。ＲＳは、ＵＥが時間／周波数トラッキング、ＲＦ再同調、およびＡＧＣ調整を迅速に実行するのを補助するように設計されてよい。トリガーを受信すると、ＵＥは、時間／周波数トラッキングを実行する。この目的のため、ＲＳは、あらゆるＲＥを占有することがある。再使用が、スモールセルのクラスタ内、または近隣のスモールセル内の潜在的な課題となる場合、再使用は、異なるセルからの異なる巡回シフトを適用することによって行われてよく、セルはすべて、図９Ｂのサブフレーム９０２に示されるものと同じスクランブリングシーケンスで送信することができる。セルが厳密に時間同期される場合、複数またはすべてのセルは、いくつかのＲＥで１つの共通の巡回シフトで送信してよく、よりよく時間を追跡するようにそれらの送信がＵＥによってアグリゲートされることが可能になっている。他のＲＥおよび／またはすべてのＲＥでは、セルはそれらのＲＳをそれらの割り当てられた巡回シフトで送信してよいことに留意されたい。
【００９０】
キャリアとＵＥとの間のタイミングエラーが重大ではない（たとえば、巡回プレフィックス長の範囲内）場合、ｅＲＳは、ＵＥがＦＦＴウィンドウを決定するのを補助するためにＰＳＳまたはＣＲＳのような同期化のためのいかなる信号も搬送する必要はなく、その代わりに、それはＵＥが適切なデジタル処理で復調のためにＵＥによって使用されることが可能なＤＭＲＳ（または同様のもの）、もしくはＣＳＩフィードバックに使用されることが可能なＣＳＩ−ＲＳ（または同様のもの）であってよい。周期的ＰＳＳ／ＣＲＳ／ＤＲＳ送信を伴うキャリアは、ＣＲＳ／ＤＲＳ周期性が長すぎない場合、このカテゴリに分類される。しかし、キャリアとＵＥとの間のタイミングエラーがＣＰ長より大きい場合、ＵＥがＦＦＴウィンドウを決定して、詳細な同期を達成するのを補助できる信号は、ｅＲＳに含まれる必要がある。信号は、ＰＳＳと類似の信号、またはＣＲＳと類似の信号であることが可能である。１つの実施形態において、信号は、サブフレームの最初の数シンボルに集中されたＤＲＳにすることができる。１つの実施形態において、１または複数のＰＳＳと類似のシーケンスは、ｅＲＳシンボルに存在するか、または１つのサブフレーム内の２つ以上のｅＲＳシンボルに分散するか、または２つ以上のｅＲＳサブフレームに分散することができる（たとえば、同期化を達成するためにＵＥの１つのグループの１つのサブフレーム内の最初のシンボルの１つのＰＳＳ）。長時間にわたりＰＳＳ／ＣＲＳ／ＤＲＳ送信を伴わないキャリアは、このカテゴリに分類される。たとえば、周期的ＤＲＳが構成されていないアンライセンスキャリアである。もう１つの例は、周期的ＤＲＳが構成されていない日和見的ライセンスキャリアである。
【００９１】
ＵＥが周波数トラッキングを実行するのを補助するための実施形態は、拡張ＲＳをサブフレームの２つのＯＦＤＭシンボルで送信することである。２つのシンボルをさらに遠く隔てることで、それに応じて周波数トラッキングのパフォーマンスもさらに良好になる。第１は、サブフレームの最初のシンボルに置かれてよい。第２は、サブフレームの最後の使用可能なシンボルに置かれてよい。ライセンスキャリアの場合、これは、図９Ｃに示されるように、サブフレーム９０４の最後にあってよい。しかし、ネットワーク／ＵＥがリッスンを実行する必要があるアンライセンスの場合には、サブフレームの最後のシンボルはリッスンに使用されてよく、ＲＳは、図９Ｆのサブフレーム９１０に示されるように、これの直前に置かれてよい。ＲＳ伝搬シンボルを遠く隔てておくことによって、良好な周波数トラッキングのパフォーマンスをもたらすことができる。しかし、周波数トラッキングの精度が、２つのＲＳ伝搬シンボルを相互に近づけることで満足できる場合、第２は、トラッキングがより早く行われるように、第１に近づけて配置されてよい。たとえば、図９Ｅのサブフレーム９０８に示されるように、第２は、次のスロットの最初のＯＦＤＭシンボルに配置されてよい。正確にどこに配置するかは、要件およびオフ継続時間に基づいてドリフト率を計算することによって導くことができる。ｅＲＳの第２のシンボルは、ｅＲＳ  ＲＥによって単独で占有されなくてよく、いくつかのＲＥは、それぞれ図９Ｃおよび９Ｄのサブフレーム９０４および９０６によって示されるように、データ送信または他の目的のために使用されてよい。これらの実施形態は、組み合わされてよい。
【００９２】
拡張ＲＳにより、サブフレームは、自己完備型になることがある。言い換えれば、サブフレームは、トラッキングおよびＡＧＣ調整および場合によっては復調のために異なるサブフレームの他のＲＳ（たとえば、ＣＲＳ）のＲＳに依存する必要がなくなることがある。ＤＲＳは引き続き、低負荷サイクルで周期的に、またはネットワークトリガーに基づいて非周期的に、ときおり使用されてよく、ＤＲＳは、粗い時間／周波数トラッキング、ＲＲＭ測定、およびＡＧＣをもたらしてよい。ＤＲＳポートと拡張ＲＳポートの間の疑似の共同設置関係は、ＵＥが拡張ＲＳ（またはＤＲＳ）のためにＤＲＳ（または拡張ＲＳ）を使用して以前達成されたトラッキング／測定／ＡＧＣを利用できるように指定されてよい。拡張ＲＳはまた、周波数トラッキングを完了するために第１および第２のサブフレームの最初のＯＦＤＭシンボルに依存するように、連続サブフレームに配置されてよいが、それでは第１のサブフレームは完全に自己完備型ではないことがある。
【００９３】
そのような自己完備型のサブフレームは、あらゆるデータサブフレームに必要なわけではない。特にそのようなサブフレームは、より高いオーバーヘッドを有することがある。加えて、ＵＥが自己完備型のサブフレームからトラッキングおよびＡＧＣを取得した後、ＵＥは、少なくとも数サブフレームの継続時間にわたりトラッキング／ＡＧＣを保持することができ、ＤＭＲＳのみが復調に必要とされてよい。したがって、サブフレーム、自己完備型サブフレーム、および依存型サブフレームの２つ以上のタイプがあってよい。依存型サブフレームは、単独機能することができず、これはネットワークに固有の疑似共同設置の関係を使用して別のサブフレームのＲＳに基づいてチャネル特性を導き出す必要がある。ＵＥは、キャリアがオンになるごとに、第１のサブフレームが自己完備型サブフレームであり、その後のすべてのサブフレームが依存型サブフレームであると仮定することがある。しかし、後のサブフレームはまた、トラッキングパフォーマンスを保持するために、自己完備型サブフレームであってよい。次いで、自己完備型サブフレームの出現は、周期的（５または１０ｍｓごとに１回のように、事前構成される）か、または非周期的（物理レイヤまたはＭＡＣレイヤシグナリングによる）として信号伝達されてよい。自己完備型サブフレームの出現はまた、図９Ｇのサブフレーム９１２によって示されるように、ＵＥ自律検出に委ねられてよく、ここでトラッキングのためのｅＲＳは、数サブフレームに１回だけ送信されるが、データサブフレーム（依存型サブフレーム）はｅＲＳを含まないことがある。しかし、後の出現におけるｅＲＳ送信は、後の出現が、スロードリフトの理由から非常に精細な調整のために限って使用されるので、第１の出現ほど高い周波数領域密度を有する必要はないことがある。
【００９４】
拡張ＲＳはまた、ＭＩＭＯサポートにその時間／周波数／巡回シフトリソースのうちのいくつかを使用することがある。たとえば、巡回シフトは、１つのセルからさまざまなアンテナポートに関連付けられているチャネル条件を指示するために使用されてよい。したがって、１つのＲＥにおいて、セルは２つ以上の巡回シフトを送信することがある。合計送信電力は、ポートにわたり一様に分割されてよい。
【００９５】
ＣＳＩ測定は、ＲＳの受信時に拡張ＲＳに基づいてよい。１シンボルの拡張ＲＳは、妥当なＣＳＩ測定に十分であってよく、ＵＥは可能な限り迅速に測定をレポートすることがある。１シンボルの拡張ＲＳが十分ではない場合、拡張ＲＳのもう１つのシンボルが追加されてよく、それは待ち時間を短縮するために第１のシンボルの次であってよい。
【００９６】
拡張ＲＳのスクランブリングシーケンスは、ＤＭＲＳシーケンスであってよく、そのようなＤＭＲＳは、図９Ｈのサブフレーム９１４に示されるように、ｅＤＭＲＳと呼ばれてよい。ｅＲＳは、ＤＭＲＳシーケンスを使用することがあるし、または使用しないことがあり、したがって、ｅＤＭＲＳの一部であってよし、または一部でなくてよい。プリコーディングは、図９Ｉのサブフレーム９１６に示されるように、ｅＤＭＲＳの一部または全部に実行されてよい。より高いランクを指示するＲＳはまた、設計されることが可能である。そのような拡張ＤＭＲＳは、複数のセクションを含むことがあり、あるものはトラッキング／ＡＧＣのみに使用されてよく、他のいくつかは、ＰＤＳＣＨの復調に使用されてよい。たとえば、第１のＯＦＤＭシンボルのいくつかのＲＥにｅＲＳが存在することがあり、一方で第１のＯＦＤＭシンボルの他のＲＥにｅＤＭＲＳが存在することがある。それらのｅＲＳ  ＲＥは、中央の６つのＲＢまたは固有のＲＢに位置していることがある。ｅＤＭＲＳは、ＵＥ固有、またはセル固有として設計されてよく、後者の場合、ネットワークは、ＵＥに、それがどのＤＭＲＳを復調に使用するかを信号伝達することがある。ある意味において、ＤＬ  ＲＳ設計は、ＵＬ  ＲＳ設計と似ていることがある。たとえば、図９Ｉにおいて、複数のプリコーディングがいくつかのｅＤＭＲＳ  ＲＥに適用され、このサブフレームまたは次のサブフレームのＰＤＳＣＨについて、各ＰＤＳＣＨは、プリコーディングインデックスに関連付けられてよく、ＵＥは関連付けられているｅＤＭＲＳを復調のために使用することができる。プリコーディングは、すべてのサブフレームで共通であってよく、これは特定のビーム形成方向をカバーするために限られた数の定義済みのプリコーディングベクトル／マトリクスを有することがある（たとえばすべての可能な方向をカバーするために、合計１２のプリコーディングベクトル／マトリクス）。したがって、ｅＤＭＲＳは、それらのプリコーディングベクトル／マトリクスおよびランクに従ってインデックス付けされてよく、（Ｅ）ＰＤＣＣＨによってスケジュールされるＰＤＳＣＨは、ＵＥが復調に使用するｅＤＭＲＳインデックスで指示されることになる。ＣＳＩ測定およびフィードバックはまた、これらのｅＤＭＲＳに基づいてもよく、ＵＥは、データ速度を最大化すると期待されるｅＤＭＲＳインデックスをレポートする、つまり、ＵＥは、非プリコード化ＲＳに基づいてプリコーディングおよびランクを仮定することによってデータ速度を推定する必要はなく、代わりに、これは複数のプリコード化ＲＳを測定することによってデータ速度を推定する。あるいは、プリコーディングベクトル／マトリクスは、事前定義されないことがあり、ＵＥは、あるサブフレームから他のサブフレームまで仮定しないことがあり、ｅＤＭＲＳは不変のままである。
【００９７】
実施形態は、さまざまなシナリオに適用されてよい。サブフレームレベルのスモールセルのオン／オフの場合、ＤＲＳが構成されていないか、ＤＲＳ周期性が長いのであれば、ｅＲＳは、時間同期化、チャネル推定、測定、ＣＳＩフィードバック／などに使用されることが可能である。セルがオンになるとき最初のサブフレームにおいて、ｅＲＳは、可能な限り迅速に、ＵＥがタイミング／ＡＧＣなどを取得するのを補助することができる。この場合、ｅＲＳは効果的に、ＤＲＳの役割を果たすことができるが、柔軟性を伴う（たとえば、非周期的に送信される）。次いで、ｅＤＭＲＳは、復調／ＣＳＩフィードバックなどに使用されることが可能である。ＤＲＳが十分な短い周期性で構成され、タイミングが課題ではない場合、ｅＤＭＲＳは構成されることができる。アンライセンス帯域で動作するＬＴＥの場合、概して周期的ＤＲＳがあることは不可能であり、ｅＲＳは要求に応じて非周期的に送信されることが可能であり、これはタイミングのためのＰＳＳと類似の信号およびチャネル推定、測定、ＣＳＩフィードバックなどのための追加のＲＳを含むことがある。ｅＲＳはまた、レガシーＤＭＲＳを置き換えるために使用されてもよいｅＤＭＲＳを含むことがある。加えて、高周波数帯域で動作するＬＴＥの場合、ｅＲＳは、タイミング同期のためのＰＳＳと類似の信号、トレーニングとフィードバックを組み合わせるプリコーディングおよび受信のためのセル固有／ＵＥ固有のｅＤＭＲＳ、ならびにデータ復調のためのセル固有／ＵＥ固有のｅＤＭＲＳを含むことがある。
【００９８】
さらに、可変継続時間ＲＳ（ＶＤＲＳ）と呼ばれるＲＳの実施形態の設計は、上記のｅＲＳ実施形態、フレーム構造実施形態、および測定／手順実施形態に導入されることが可能である。ＶＤＲＳの実施形態の設計は、コンポーネントキャリアの動的オン／オフ、動的キャリア選択、Ｕ−ＬＴＥ動作、およびｍｍＷａｖｅ動作を含むさまざまなシナリオに適用されることが可能であるが、これらに限定されることはない。一般的に言えば、ＶＤＲＳは、必ずしもＯＦＤＭシンボル継続時間の倍数ではない継続時間で送信または受信されることが可能なＲＳであるが、受信機は引き続きＲＳを検出することができる。詳細は、後において示される。
【００９９】
Ｕ−ＬＴＥにおいて、制御／データ送信は、サブフレームの第１のＯＦＤＭシンボルから開始することがある。しかし、サブフレームで送信するために、キャリア感知は、サブフレームが開始する前に実行される必要があることがある、つまり、ｅＮＢは、サブフレームが開始する前にチャネル使用されることが可能か可能ではないかを決定する必要がある（法的ＣＣＡおよびバックオフ要件に従う）。しかし、ｅＮＢが、チャネルは使用可能であると決定する場合、これはチャネルを占有するために特定の信号を送信することによって直ちにチャネルを予約する必要があり、そうしない場合、その他のノード（たとえば、ＷｉＦｉ  ＡＰ）はＵ−ＬＴＥサブフレームが開始する前に送信を開始することがある。実施形態において、ｅＮＢは、これがチャネルが使用可能であると決定した直後にＲＳを送信することがある。しかし、通常は制御／データ送信は、次のサブフレームの第１のシンボルに延期される必要があるので、ＲＳの継続時間は、ＲＳの開始時間が感知結果ごとに異なる可能性があるので、あらかじめ定められることが不可能であり、固定ではなくなる。言い換えれば、可変長のＲＳが必要とされてよい。
【０１００】
図１０は、従来技術の基準信号の方法に関する問題を示すフレームのシステム１０００の図である。システム１０００は、各々データ送信期間１００２に関連付けられている２つのフレーム、ミュート期間１００４、ならびに感知および予約期間１００６を含む。データ送信期間１００２は、時間「Ａ」マイクロ秒を占有することがある。ミュート期間１００４は、１ミリ秒の１つのサブフレームを占有することがある。感知および予約期間１００６は、数十のスロットを含むことがあり、スロットのうちのいくつかは感知に専用であり、いくつかはｔｘ予約信号のためのものである。予約信号の送信は、「任意の」時間に開始することがある。しかし、ＯＦＤＭシンボルのＵＥタイミングは、送信がＯＦＤＭシンボルの厳密に最初に開始しないことがあるので、感知スロットまたはｅＮＢタイミングと整合しないことがある。
【０１０１】
しかし、開示される可変継続時間基準信号（ＶＤＲＳ）は、これらの問題を克服する。
【０１０２】
図１１は、ＶＤＲＳ１１００の実施形態を示す図である。ＶＤＲＳ１１００は、１つのベース信号（ＳVDRS）の３つのレプリカを伴う１つのＯＦＤＭシンボルを含むことがある。ＶＤＲＳの省略されるかまたは完全なシンボルが送信されることが可能である。たとえば、送信は、ＯＦＤＭの最初ではない時間１１０２まで開始しないことがある。ＶＤＲＳの一部を取り込むＵＥは、部分１１０４がベース信号の少なくとも１つの完全なレプリカを含む限り、これを検出することができる。複数のアンテナポートは、直交巡回シフトまたはＦＤＭを通じて多重化される。ＶＤＲＳは、ｅＮＢの予約信号としての役割を果たすことがある。ＵＥはまた、ＶＤＲＳを使用して、アンテナポートチャネル推定を実行することも、複数のＳVDRSに基づく周波数推定を実行することも、ＦＦＴタイミングウィンドウ調整推定を実行することもできる。
【０１０３】
図１２Ａにおいて、Ｕ−ＬＴＥのＶＤＲＳのフレーム１２００の実施形態が示される。感知結果に基づいて、ノードは、これが、サブフレームｎの第２のスロットの第６のＯＦＤＭシンボルの終わり前にチャネルの占有を開始することができると決定する。第７のシンボルの開始まで待つことなく、ノードは、ＶＤＲＳの送信を開始することができる。次いで、チャネルを検知している他のノード（たとえば、ＷｉＦｉノード）は、送信を行わない。次いで、ノードは、次のサブフレームの開始までＶＤＲＳを送信することができる。ＵＥのような受信側ノードは、構成済みのＶＤＲＳ開始時間ウィンドウ以来潜在的ＶＤＲＳ送信を監視することが求められる。ＵＥは、ＶＤＲＳの開始からＶＤＲＳを正確に取り込むことができないことがある、つまりこれは、ＶＤＲＳの何らかのある一部を逃すことがある。しかし、ＵＥは引き続き、ＶＤＲＳの不完全な部分のみに基づいてＶＤＲＳを検出することができることがある。ＶＤＲＳのこの特殊な特性は、ＶＤＲＳの特殊設計に由来するものであり、これについては後において詳細に説明される。
【０１０４】
ＶＤＲＳのフレーム１２０２の実施形態は、図１２Ｂにおいて示され、これはＶＤＲＳが１つのＯＦＤＭシンボル継続時間より短いことが可能であることを示す。ＶＤＲＳ周期係数がＭである場合、ＵＥがＯＦＤＭシンボル継続時間の１／Ｍほどの長さの継続時間でＶＤＲＳを取り込むことができる限り、およびノードに関してＵＥのタイミングエラーがＯＦＤＭシンボル継続時間の＋／−１／（２Ｍ）ほどの大きさである限り、ＵＥはＶＤＲＳを検出して、ノードからタイミングを取得することができる。
【０１０５】
ＶＤＲＳは、Ｕ−ＬＴＥについて以前説明された実施形態に適用されることが可能である。たとえば、図１２Ｃにおいて、実施形態のシステム１２０４は、ＶＤＲＳがトリガリングメカニズム（縮尺どおりには描かれていない）と共に使用されることが可能であることを示す。ＣＣ１は、たとえば第１のＯＦＤＭシンボルでトリガーを送信することがあり、ＵＥは、トリガーを受信して、しばらくの間、たとえばシンボル継続時間の約半分の間、受信した信号を処理することがある。ＣＣ２は、第１のシンボルからＶＤＲＳを送信し、次いで第４のシンボルからＲＳ／データを送信することがある。この場合、ＵＥは、第３のシンボルの終わりまで約１．５シンボルからＶＤＲＳの取得を開始することができる。異なるＵＥは、トリガーの処理を終了する異なる機能を有することがあるので、異なるＵＥは、異なる時点からＶＤＲＳの取得を開始することがあるが、これが十分に長いＶＤＲＳを取得することができる限り、これはＶＤＲＳを検出することができることに留意されたい。
【０１０６】
図１２Ｄは、トリガーおよびサブフレーム境界オフセットを伴う場合に適用するＶＤＲＳの実施形態のシステム１２０６を示す。
【０１０７】
Ｕ−ＬＴＥの場合におけるＶＤＲＳは、チャネルが使用可能であるときにチャネルを予約するために有用であるだけでなく、ＵＥが時間／周波数同期を取得し、チャネル推定を実行し、ＲＲＭ／ＣＳＩ測定を実行するなどのためにも有用であることが可能である。ＶＤＲＳは、ｅＲＳ設計と組み合わされることが可能である。
【０１０８】
ＶＤＲＳはまた、たとえチャネルを予約するために日和見的キャリアが必要とされない場合であっても、ライセンスキャリアによる動的オン／オフの場合に有用である。実施形態において、日和見的キャリアは、クロスキャリアスケジューリングに依存する。このシナリオにおいて、日和見的キャリアのサブフレーム境界は、シフトされることがあるし、またはシフトされないことがある。いずれにしても、ＶＤＲＳは、Ｕ−ＬＴＥの場合と同様に送信されることが可能である。理由は、日和見的キャリアとＵＥまたはスケジューリングキャリアとの間の起こり得るタイミングエラー、スケジューリングシグナリングをデコードするＵＥの不確実な継続時間、（ＡＧＣ設定、ＲＦ再同調、トラッキングなどのため）新たにオンにされる日和見的キャリアを取得するＵＥの不確実な継続時間などを含むことができる。一方、日和見的キャリアが自己スケジューリングに依存する場合、ＶＤＲＳはまた、データサブフレームに先立って送信されるか、またはデータサブフレームに埋め込まれることも可能であり、ＵＥがＶＤＲＳに基づいてオン／オフの検出、タイミング／周波数トラッキングなどの取得などを行えるようにする。周波数トラッキングがＶＤＲＳの１つの送信に基づくことがあるが、正確に言えば、ＶＤＲＳの２つ以上の送信が使用されることが可能であることに留意されたい。
【０１０９】
図１２Ｅは、ＶＤＲＳの周波数領域送信１２０８、およびＶＤＲＳの時間領域送信の実施形態を示す。この例において、ＶＤＲＳ周期係数は２である。周波数領域において、ＶＤＲＳは１つおきのＲＥに出現し、ブランクのＲＥを補償するために３ｄＢの出力増大が適用されることが可能である。時間領域において、ＶＤＲＳは、ＯＦＤＭシンボルの一部のみを占有する（波形の実線部分で示される）。ＶＤＲＳが全ＯＦＤＭシンボルに及ぶ場合、信号波形の後半は、前半の正確な繰り返しになるであろう。一般に、ＵＥは、波形の正確な開始または終了を取り込むことができないが、これは、（２つのうちの）１つの完全な波形が含まれるように、そのＦＦＴウィンドウを配置する柔軟性を有する。したがって、ＵＥは引き続き、部分的に受信されたＶＤＲＳを検出することができる。ＶＤＲＳ送信が、全シンボル継続時間に及ぶことがあるし、または及ばないことがあることに留意されたい。ＣＰは、ＶＤＲＳには必要とされない。
【０１１０】
周期係数がＭである場合、ＶＤＲＳは、周波数領域においてＭ個のＲＥごとに１回送信され、時間領域においてそれ自体をＭ回繰り返す。これは、通常のもののＭ倍の間隔のサブキャリアとして効果的に見られることがある（いずれの場合も、ＤＣは同じ位置にあり、送信のために除去される）。ＵＥが少なくとも１つの完全な波形を含む信号の一部分を取り込むことができ、ＵＥが、以前取得した粗い同期化または仮定のいずれかによってタイミングの曖昧性を解決することができる場合、ＵＥは、ＶＤＲＳを検出して精細な同期化を取得することができる。Ｍはまた、１にすることもできる。Ｍが分数であってもよく、この場合、ＶＤＲＳ送信のために複数のＯＦＤＭシンボルが１つの延長されたシンボルとして結合されることに留意されたい。しかし、ノードおよびＵＥは、（たとえば、標準化および／またはＲＲＣ／ＰＨＹ構成により）リソースおよびＶＤＲＳの信号形式の共通の理解を有するべきである。
【０１１１】
ＶＤＲＳは、ｅＲＳ／ｅＤＭＲＳ設計の１または複数の実施形態と組み合わされることが可能である。
【０１１２】
ＶＤＲＳはまた、ｍｍＷａｖｅ通信において有用である。一例として、ｍｍＷａｖｅ  ＯＦＤＭシンボル継続時間は、短いことがあり（現在のＬＴＥにおいて１ｍｓより短い、たとえば、１０μｓ）、したがってそのＣＰもまた短い（たとえば、１μｓ）。これは、ＵＥとｍｍＷａｖｅセルの間のタイミングエラーに対して、ＵＥ受信をさらに脆弱なものにすることがある。たとえば、ＵＥはそのＰｃｅｌｌに同期化され、ＰｃｅｌｌおよびＳｃｅｌｌは、わずか数マイクロ秒ほど、たとえば＋／−３μｓのタイミングエラーで同期化される。これは、マイクロ波通信には十分である。しかし、Ｓｃｅｌｌが、より短いＣＰ長、＋／−３μｓで動作しているｍｍＷａｖｅセルである場合、タイミングエラーはＣＰ長をかなり超えることがある。この場合、ＶＤＲＳは、送信されることが可能である。ＶＤＲＳ周期係数が２である場合、ＵＥは、上記の例におけるタイミングエラーが５μｓほどの大きさである限り受信することができる。
【０１１３】
ＶＤＲＳの設計は、以下のように説明される。
【０１１４】
実施形態において、ＶＤＲＳは、可変継続時間の信号であり、ベース信号の巡回拡大によって生成され、シンボルの開始および終了タイミングに関連する各時間インスタンスにおいてＶＤＲＳの位相は、決定性である。位相は、ｐ（ｔ）のような、各シンボル内の時間の確定関数であり、ここでｔは０（シンボル開始時間に対応する）からＴ（シンボル終了時間に対応する）であり、ｐ（ｔ）はｔにおいて決定性であり、関数は送信機および受信機の両方に知られている。以下に示される式は、そのようなものの例である。したがって、ＳVDRSと呼ばれるベースバンドＶＤＲＳの実施形態は、以下のとおりである。
【０１１５】
【数１】
0006438129.tif 000002
【０１１６】
アンテナポートが巡回シフト多重である場合、および
【０１１７】
【数２】
0006438129.tif 000003
【０１１８】
アンテナポートが周波数分割多重（ＦＤＭ）である場合。
この式において、Ｐは構成されたアンテナポートの合計数を示し、ＴはＶＤＲＳの送信継続時間を示し、Ｍは周期係数を示し、Ｃpは巡回シフトの量を制御するアンテナポート固有の設計パラメータを示し、ａkはセル固有のスクランブリングシーケンスを示す。ダウンリンクスロットのＯＦＤＭシンボルｌ内のアンテナポートｐ上の時間連続信号
【０１１９】
【数３】
0006438129.tif 000004
【０１２０】
は、次の式によって定義される。
【０１２１】
【数４】
0006438129.tif 000005
【０１２２】
０＜＝ｔ＜（ＮCPJ＋Ｎ）×Ｔ5の間、
【０１２３】
【数５】
0006438129.tif 000006
【０１２４】
および
【０１２５】
【数６】
0006438129.tif 000007
【０１２６】
である。変数Ｎは、Δｆ＝１５ＫＨｚサブキャリア間隔の場合、２０４８と等しく、Δｆ＝７．５ＫＨｚサブキャリア間隔の場合、４０９６と等しい。時間連続信号に関する追加情報は、参照により本明細書に組み入れられる、３ＧＰＰ  ＴＳ３６．２１１  Ｖ１２．６０（２０１５−０６）、Ｔｅｃｈｎｉｃａｌ  Ｓｐｅｃｉｆｉｃａｔｉｏｎに見出されることがある。
【０１２７】
ＶＤＲＳは、１／Ｍ  ＯＦＤＭシンボル長の継続時間を有する１つのベース信号ＳVDRSの１または多数のレプリカから成る。ノードにおいてＭを適正に選択することにより、これは、ＶＤＲＳを受信するＵＥがＳVDRSの少なくとも１つの完全なコピーを取得できることを保証することができる。ＳVDRSでのＦＦＴ操作は、結果として、アンテナポートチャネル推定、１または多数のＳVDRSに基づく周波数推定、ＦＦＴタイミングウィンドウ調整推定などを容易にする直交サブキャリアをもたらす。連続波形設計は、ネットワーク最大タイミング不確定性要件を緩和する。
【０１２８】
さらに、複数のアンテナポートは、直交巡回シフトまたはＦＤＭを通じて多重化される。ＶＤＲＳが複数のＳVDRSを含むので、個々のＳVDRSに基づく推定は、パフォーマンス向上のために容易に結合されることが可能である。
【０１２９】
他の実施形態の設計はまた、ベースバンド信号生成式を適正に修正／詳細化することにより得られることが可能である。たとえば、ＴはＯＦＤＭシンボル継続時間またはその倍数として設定されることが可能であり、異なるパラメータまたはスクランブリングシーケンスは、（異なるアンテナポート、異なるＭなどのような）異なるＯＦＤＭシンボルに使用されることが可能である。
【０１３０】
図１２Ｆは、それぞれ時間領域１２１０および周波数領域１２１２における、１０ＭＨｚ、Ｔ＝１２０μｓ、Ｍ＝２およびＰ＝１の例を示す。時間領域において、信号は繰り返されるが、必ずしも整数の繰り返し回数ではない。周波数領域において、出力は１つおきのＲＥで分散される。
【０１３１】
図１２Ｇは、１０ＭＨｚ、Ｍ＝２、Ｐ＝１およびワンパスチャネル、ＵＥ  ＦＦＴサイズ＝１０２４／Ｍ＝５１２および取り込み時間間隔＝１／１５Ｋ／２ｓ、ＳＮＲ＝０ｄＢの場合のＵＥ  ＶＤＲＳ処理１２１４の実施形態を示す。手順１２１４は、ＳＶＬＲＳ信号抽出１２１６で開始し、その後、５１２ポイントＦＦＴ  １２１８が実行される。次に、シーケンススクランブル解除１２２０が実行され、その後に５１２ポイントＩＦＦＴ  １１２２２が続く。図１２Ｇから理解されることができるように、信号のピーク１２２４は中央にはないので、ＵＥは、ピークが中央に出現するように、タイミング調整が必要であると理解する。そのようにすることによって、ＵＥは、ノードのタイミングを取得する。
【０１３２】
図１２Ｈは、１０ＭＨｚ、Ｍ＝２、巡回シフト多重およびワンパスチャネルを伴うＰ＝２、ＵＥ  ＦＦＴサイズ＝１０２４／Ｍ＝５１２および取り込み時間間隔＝１／１５Ｋ／２ｓ、ＳＮＲ＝０ｄＢの場合のＵＥ  ＶＤＲＳ処理１２２６の実施形態を示す。手順１２２６は、ＳＶＬＲＳ信号抽出１２２８で開始し、その後に５１２ポイントＦＦＴ  １２３０が続く。次に、シーケンススクランブル解除１２３２が実行される。次に、５１２ポイントＩＦＦＴ  １２３４が実行される。ＵＥはまた、そのタイミングをノードのタイミングと一致するように調整するが、曖昧性が生じる場合には、曖昧性を解決するために、シーケンス相関および仮説検証が使用されることが可能である。
【０１３３】
ＶＤＲＳは、ＵＥ送信のためのノードに制限されない。それはまた、ノード（ＵＬ）送信、バックホールオーバー・ジ・エア通信などのためにＵＥに使用されてもよい。
【０１３４】
図１３は、ホストデバイスにインストールされることがある本明細書において説明される方法を実行するための実施形態の処理システム１３００のブロック図を示す。示されているように、処理システム１３００は、プロセッサ１３０４、メモリ１３０６、およびインターフェイス１３１０〜１３１４を含み、これらは図１３に示されるように配置されて（または配置されなくて）よい。プロセッサ１３０４は、計算および／または他の処理関連のタスクを実行するように適合された任意のコンポーネントまたはコンポーネントの集合であってよく、メモリ１３０６は、プロセッサ１３０４による実行のためのプログラミングおよび／または命令を格納するように適合された任意のコンポーネントまたはコンポーネントの集合であってよい。実施形態において、メモリ１３０６は、非一時的コンピュータ可読媒体を含む。インターフェイス１３１０、１３１２、１３１４は、処理システム１３００が他のデバイス／コンポーネントおよび／またはユーザと通信できるようにする任意のコンポーネントまたはコンポーネントの集合であってよい。たとえば、インターフェイス１３１０、１３１２、１３１４の１または複数は、プロセッサ１３０４から、ホストデバイスおよび／またはリモートデバイスにインストールされたアプリケーションに、データ、制御、または管理メッセージを伝達するように適合されてよい。もう１つの例として、インターフェイス１３１０、１３１２、１３１４の１または複数は、ユーザまたはユーザデバイス（たとえば、パーソナルコンピュータ（ＰＣ）など）が処理システム１３００と対話／通信できるようにするように適合されてよい。処理システム１３００は、長期ストレージ（たとえば、不揮発性メモリなど）のような、図１３には示されていない追加のコンポーネントを含むことがある。
【０１３５】
いくつかの実施態様において、処理システム１３００は、電気通信ネットワークにアクセスしているか、またはその一部であるネットワークデバイスに含まれる。１つの例において、処理システム１３００は、基地局、中継局、スケジューラ、コントローラ、ゲートウェイ、ルータ、アプリケーションサーバ、または電気通信ネットワーク内の任意の他のデバイスのような、無線または有線電気通信ネットワークのネットワーク側デバイス内にある。他の実施形態において、処理システム１３００は、移動局、ユーザ機器（ＵＥ）、パーソナルコンピュータ（ＰＣ）、タブレット、ウェアラブル通信デバイス（たとえば、スマートウォッチなど）、または電気通信ネットワークにアクセスするように適合された任意の他のデバイスのような、無線または有線電気通信ネットワークにアクセスするユーザ側デバイス内にある。
【０１３６】
いくつかの実施形態において、インターフェイス１３１０、１３１２、１３１４の１または複数は、処理システム１３００を、電気通信ネットワークを介してシグナリングを送信および受信するように適合された送受信機に接続する。
【０１３７】
図１４は、電気通信ネットワークを介してシグナリングを送信および受信するように適合された送受信機１４００のブロック図を示す。送受信機１４００は、ホストデバイスにインストールされてよい。示されているように、送受信機１４００は、ネットワーク側インターフェイス１４０２、カプラー１４０４、送信機１４０６、受信機１４０８、信号プロセッサ１４１０、およびデバイス側インターフェイス１４１２を含む。ネットワーク側インターフェイス１４０２は、無線または有線電気通信ネットワークを介してシグナリングを送信および受信するように適合された任意のコンポーネントまたはコンポーネントの集合を含むことがある。カプラー１４０４は、ネットワーク側インターフェイス１４０２を介して双方向通信を容易にするように適合された任意のコンポーネントまたはコンポーネントの集合を含むことがある。送信機１４０６は、ベースバンド信号を、ネットワーク側インターフェイス１４０２を介する送信に適切な変調キャリア信号に変換するように適合された任意のコンポーネントまたはコンポーネントの集合（たとえば、アップコンバータ、電力増幅器など）を含むことがある。受信機１４０８は、ネットワーク側インターフェイス１４０２を介して受信されたキャリア信号を、ベースバンド信号に変換するように適合された任意のコンポーネントまたはコンポーネントの集合（たとえば、ダウンコンバータ、低雑音増幅器など）を含むことがある。信号プロセッサ１４１０は、ベースバンド信号を、デバイス側インターフェイス１４１２を介する通信に適切なデータ信号に変換するように、またはその逆に変換するように適合された任意のコンポーネントまたはコンポーネントの集合を含むことがある。デバイス側インターフェイス１４１２は、信号プロセッサ１４１０とホストデバイス内のコンポーネント（たとえば、処理システム１３００、ローカルエリアネットワーク（ＬＡＮ）ポートなど）の間のデータ信号を伝達するように適合された任意のコンポーネントまたはコンポーネントの集合を含むことがある。
【０１３８】
送受信機１４００は、任意のタイプの通信媒体を介してシグナリングを送信および受信することがある。いくつかの実施形態において、送受信機１４００は、無線媒体を介してシグナリングを送信および受信する。たとえば、送受信機１４００は、セルラープロトコル（たとえば、Ｌｏｎｇ  Ｔｅｒｍ  Ｅｖｏｌｕｔｉｏｎ（ＬＴＥ）など）、無線ローカルエリアネットワーク（ＷＬＡＮ）プロトコル（たとえば、ＷｉＦｉなど）、または任意の他のタイプの無線プロトコル（たとえば、Ｂｌｕｅｔｏｏｔｈ、近距離無線通信（ＮＦＣ）など）のような、無線電気通信プロトコルに従って通信するように適合された無線送受信機であってよい。そのような実施形態において、ネットワーク側インターフェイス１４０２は、１または複数のアンテナ／放射素子を含む。たとえば、ネットワーク側インターフェイス１４０２は、単一アンテナ、複数分離アンテナ、たとえば単一入力多出力（SIMON）、多入力単一出力（MISO）、多入力多出力（MIMO）など、マルチレイヤ通信用に構成されたマルチアンテナアレイを含むことがある。他の実施形態において、送受信機１４００は、たとえば、ツイストペアケーブル、同軸ケーブル、光ファイバなどの有線媒体を介してシグナリングを送信および受信する。具体的な処理システムおよび／または送受信機は、示されているコンポーネントのすべて、またはコンポーネントのサブセットのみを利用することがあり、統合のレベルはデバイスごとに異なることがある。
【０１３９】
主としてＶＤＲＳに関して説明されているが、信号設計は、（上記の式に示されるような）固有のＲＳまたは固有の信号に限定されることはない。開示されるシステムおよび方法は、スロット化通信システム（概ね決定性ＯＦＤＭシンボル／スロット／サブフレーム／無線フレーム境界を伴うＬＴＥのような、フレーム化通信システム、同期システム、フレームベースシステムとも呼ばれる）の波形の一部のみに基づいて正常に検出されることが可能である任意の信号に適用されることが可能である。たとえば、波形は、メッセージを１つのＵＥまたはすべてのＵＥに搬送することがある。可変継続時間の信号は、チャネルを予約するための予約信号であってよいが、信号はまたデータも搬送することができる。可変継続時間の信号は、不連続ｔｘ／ｒｘの間に第１のシンボルで使用されてもよく、ここでＵＥはその詳細なトラッキングを失っていることがあり、シンボルの一部のみを取り込むことができる。
【０１４０】
実施形態において、無線通信のための方法は、第１のデバイスによって、送信および受信の基準タイミングに従って第１のキャリアの１または複数のシンボルの開始タイミングおよび終了タイミングを決定するステップであって、１または複数のシンボルの各々は固定の継続時間を有するステップと、第１のデバイスによって、第１のキャリア上の可変継続時間の信号を決定するステップであって、可変継続時間の信号の開始タイミングは、基準タイミングに従って第１のキャリアの１または複数のシンボルのいずれかの開始タイミングからオフセットされるステップと、第１のキャリア上の第１のデバイスによって、可変継続時間の信号の開始タイミングにおいて、可変継続時間の信号を送信するステップとを含む。実施形態において、基準タイミングは、第１のデバイスの第２のキャリアの第２のタイミングである。第２のキャリアは、任意の他のキャリアの「基準」または「ベース」であってよい。したがって、第２のキャリアのタイミングは、自身にとって「基準タイミング」であってよいか、または単に自身のタイミングであってよい。言い換えれば、実施形態において、第２のキャリアが何を行うかにかかわらず、これは他者にとって基準と見なされる。したがって、第２のキャリアは、ＰＣｅｌｌ（ＰＣＣ）であることが可能であり、その他のキャリアは、上記で説明されるＳＣｅｌｌ（ＳＣＣ）であることが可能である。また、実施形態において、タイミングは、詳細な時間情報、たとえば、シンボル境界タイミング、サブフレーム境界タイミングを含む。言い換えれば、タイミング情報は、シンボル／サブフレームがいつ開始／終了するかを含む。実施形態において、そのようなタイミングは、ＰＳＳ／ＳＳＳ／ＣＲＳを使用して詳細な時間同期を介してＵＥによって取得される必要がある。実施形態において、可変継続時間の信号の終了タイミングは、第１のキャリアの１または複数のシンボルの１つの終了タイミングと整合される。実施形態において、可変継続時間の信号の開始タイミングは、第１のキャリアでのクリアチャネル評価（ＣＣＡ）手順の完了、データまたは制御情報の可用性、およびネットワーク制御デバイスの指示のうちの１つに従って決定される。実施形態において、第１のキャリア上で可変継続時間の信号を送信するステップは、可変継続時間の信号を第１のキャリア上の第２のデバイスに送信するステップを備え、第１のキャリア上の各シンボルの開始タイミングおよび終了タイミングは、可変継続時間の信号の送信前に第２のデバイスによって取得される。実施形態において、基準タイミングは、第１のデバイスの第２のキャリアへの第２のデバイスのタイミング同期を介して第２のデバイスによって取得される。実施形態において、第１のキャリアは、ライセンス帯域にはないキャリアである。実施形態において、第２のキャリアは、ライセンス帯域内のキャリアである。実施形態において、第１のデバイスの基準タイミングに従う第１のキャリア上の各シンボルの開始タイミングおよび終了タイミングは、第１のデバイスの第１のキャリア上のディスカバリ信号（ＤＳ）、基準信号（ＲＳ）、同期信号（ＰＳＳ／ＳＳＳ）のうちの１つに基づいて、第２のデバイスによって取得される。実施形態において、第１のデバイスの第１のキャリア上の各シンボルの開始タイミングおよび終了タイミングは、第１のデバイスの第２のキャリア上のそれらと整合される。実施形態において、第１のキャリア上の可変継続時間の信号の送信は、可変継続時間の信号の送信の前に第２のデバイスに信号伝達されない。実施形態において、第１のキャリア上の可変継続時間の信号の開始タイミングは、可変継続時間の信号の送信の前に第２のデバイスに信号伝達されない。実施形態において、第１のデバイスは、可変継続時間の信号の送信の前に第１のキャリアの監視を開始するための信号を、第２のキャリア上で第２のデバイスに送信する。実施形態において、可変継続時間の信号は、基準信号である。実施形態において、可変継続時間の信号は、ベース信号の巡回拡大によって生成され、シンボルの開始および終了タイミングに関連する各時間インスタンスにおいて可変継続時間の信号の位相は、決定性である。実施形態において、ベース信号は、位相の完全サイクルを含む。実施形態において、１または複数のシンボルの周期性は、ベース信号の周期性の倍数である。実施形態において、可変継続時間の信号は、第１のデバイスによって第２のデバイスに構成され、構成は、ベース信号の情報、シンボルの開始および終了タイミングに関連する各時間インスタンスにおける可変継続時間の信号の位相、およびベース信号の周期性の１または複数を備える。実施形態において、方法は、第１のデバイスによって、基準タイミングに従う第１のキャリアの１または複数のシンボルの開始タイミングおよび終了タイミングに従って各シンボルの開始タイミングおよび終了タイミングで１または複数のシンボルを送信するステップを含む。実施形態において、シンボルは、直交周波数分割多重（ＯＦＤＭ）シンボルである。実施形態において、可変継続時間の信号は、可変継続時間の第１の信号であり、可変継続時間の第１の信号の継続時間は、可変継続時間の第２の信号の継続時間とは異なる。実施形態において、可変継続時間の信号は、周波数グリッド、タイミング、シーケンス、巡回シフト、および可変継続時間の信号の送信に関するキャリア情報のうちの少なくとも１つに従って決定される。実施形態において、可変継続時間の信号は、複数の構成済みのアンテナポートに従って決定される。実施形態において、第１のデバイスの複数のアンテナポートは、直交巡回シフトを通じて多重化される。実施形態において、第１のデバイスの複数のアンテナポートは、周波数分割多重（ＦＤＭ）を通じて多重化される。実施形態において、基準タイミングに従って第１のキャリアの１または複数のシンボルの開始タイミングおよび終了タイミングを決定するステップは、基準タイミングに従って第１のキャリアのシンボルの各々の開始タイミングおよび終了タイミングを決定するステップを含む。実施形態において、オフセットはゼロである。実施形態において、第１のデバイスは、ｅｖｏｌｖｅｄ  ＮｏｄｅＢ（ｅＮＢ）である。
【０１４１】
実施形態において、無線ネットワークにおける送信ポイントから可変継続時間の信号を受信するためのユーザ機器（ＵＥ）における方法は、第１のキャリアの可変継続時間の信号の構成を送信ポイント（ＴＰ）から受信するステップであって、構成シグナリングはＴＰから第２のキャリア上で受信されるステップと、第１のキャリアの監視を開始する信号を受信するステップであって、信号はＴＰから第２のキャリア上で受信されるステップと、第１のキャリアにおける可変継続時間の信号の少なくとも一部をＴＰから取り込むステップと、可変継続時間の部分信号に従ってタイミング情報を決定するステップであって、タイミング情報は、基準タイミングに従う第１のキャリアの１または複数のシンボルの開始タイミングおよび終了タイミングを備え、可変継続時間の信号の取り込まれた部分の開始タイミングは、１または複数のシンボルのいずれかの開始タイミングからオフセットされるステップとを含む。実施形態において、取り込まれた可変継続時間の信号の部分は、ＴＰによって送信された可変継続時間の信号の部分より少ない部分を備える。実施形態において、可変継続時間の信号は、可変継続時間の第１の信号であり、可変継続時間の第１の信号の継続時間は、可変継続時間の第２の信号の継続時間とは異なる。実施形態において、可変継続時間の信号の継続時間は、あらかじめ定められていない。実施形態において、可変継続時間の信号の継続時間は、構成シグナリングにおいて構成されない。実施形態において、方法はまた、可変継続時間の信号の少なくとも一部の受信の前に、第１のキャリア上で各シンボルの開始タイミングおよび終了タイミングを取得するステップを含む。実施形態において、可変継続時間の信号の構成は、基準信号を備える。実施形態において、基準タイミングは、ＴＰの第２のキャリア信号へのＵＥのタイミング同期を介してＵＥによって取得される。実施形態において、第１のキャリアは、ライセンス帯域にはないキャリアである。実施形態において、第２のキャリアは、ライセンス帯域にあるキャリアである。実施形態において、第１のキャリアは、複数のシンボルを備え、第１のキャリア上のシンボルの各々の開始タイミングおよび終了タイミングは、ＴＰの第１のキャリア上のディスカバリ信号（ＤＳ）、基準信号（ＲＳ）、および同期信号（ＰＳＳ／ＳＳＳ）のうちの１つに従って、ＵＥによって取得される。実施形態において、シンボルは、直交周波数分割多重（ＯＦＤＭ）シンボルを備える。実施形態において、可変継続時間の信号の終了タイミングは、第１のキャリア信号のシンボルの終了タイミングと整合される。実施形態において、可変継続時間の信号は、送信および受信の基準タイミングに従う第１のキャリアの１または複数のシンボルの開始タイミングおよび終了タイミングに従って決定され、シンボルの各々は固定の継続時間を有する。実施形態において、基準タイミングは、ＴＰの第２のキャリアのタイミングである。実施形態において、ＴＰの第１のキャリア上の各シンボルの開始タイミングおよび終了タイミングは、ＴＰの第２のキャリア上のそれらと整合される。実施形態において、第１のキャリア上の可変継続時間の信号の開始タイミングは、可変継続時間の信号の送信の前に第２のデバイスに信号伝達されない。実施形態において、可変継続時間の信号は、基準信号である。実施形態において、可変継続時間の信号は、ベース信号の巡回拡大に従って決定され、シンボルの開始および終了タイミングに関連する各時間インスタンスにおいて可変継続時間の信号の位相は、決定性である。実施形態において、ベース信号は、位相の完全サイクルを含む。実施形態において、１または複数のシンボルの周期性は、ベース信号の周期性の倍数である。実施形態において、方法は、基準タイミングに従って各シンボルの開始タイミングおよび終了タイミングで１または複数のシンボルを受信するステップを含む。実施形態において、可変継続時間の信号は、直交周波数分割多重（ＯＦＤＭ）シンボルを備える。実施形態において、可変継続時間の信号は、周波数グリッド、タイミング、シーケンス、巡回シフト、および可変継続時間の信号の送信に関するキャリア情報のうちの少なくとも１つに従って決定される。実施形態において、可変継続時間の信号は、ＴＰの複数の構成済みのアンテナポートに従って決定される。実施形態において、ＴＰの複数のアンテナポートは、直交巡回シフトおよび周波数分割多重（ＦＤＭ）のうちの１つを通じて多重化される。
【０１４２】
実施形態において、無線デバイスに信号を送信するためのネットワークデバイスは、プロセッサと、プロセッサにより実行するためのプログラミングを格納する非一時的コンピュータ可読ストレージ媒体であって、プログラミングは、送信および受信の基準タイミングに従って第１のキャリアの１または複数のシンボルの開始タイミングおよび終了タイミングを決定するための命令であり、シンボルの各々は固定の継続時間を有する命令と、第１のキャリア上の可変継続時間の信号を決定するための命令であり、可変継続時間の信号の開始タイミングは、基準タイミングに従って第１のキャリアの１または複数のシンボルのいずれかの開始タイミングからオフセットされる命令と、第１のキャリア上で、可変継続時間の信号の開始タイミングにおいて、可変継続時間の信号を送信するための命令とを含む非一時的コンピュータ可読ストレージ媒体とを含む。実施形態において、可変継続時間の信号は、可変継続時間の第１の信号であり、可変継続時間の第１の信号の継続時間は、可変継続時間の第２の信号の継続時間とは異なる。実施形態において、可変継続時間の信号の継続時間は、あらかじめ定められていない。実施形態において、可変継続時間の信号は、周波数グリッド、タイミング、シーケンス、巡回シフト、および可変継続時間の信号の送信に関するキャリア情報のうちの少なくとも１つに従って決定される。実施形態において、可変継続時間の信号は、複数の構成済みのアンテナポートに従って決定される。
【０１４３】
実施形態において、無線ネットワークにおいて送信ポイントから基準信号を取得するためのネットワークデバイスは、プロセッサと、プロセッサにより実行するためのプログラミングを格納する非一時的コンピュータ可読ストレージ媒体であって、プログラミングは、第１のキャリアの可変継続時間の信号の構成を送信ポイント（ＴＰ）から受信するための命令であり、構成シグナリングはＴＰから第２のキャリア上で受信される命令と、第１のキャリアの監視を開始する信号を受信するための命令であり、信号はＴＰから第２のキャリア上で受信される命令と、第１のキャリアにおける可変継続時間の信号の少なくとも一部をＴＰから取り込むための命令と、可変継続時間の部分信号に従って制御情報を決定するための命令であり、タイミング情報は、基準タイミングに従う第１のキャリアの１または複数のシンボルの開始タイミングおよび終了タイミングを備え、可変継続時間の信号の取り込まれた部分の開始タイミングは、１または複数のシンボルのいずれかの開始タイミングからオフセットされる命令とを含む非一時的コンピュータ可読ストレージ媒体とを含む。
【０１４４】
本発明は、具体的な実施形態に関して説明されてきたが、この説明は、限定的な意味で解釈されることを意図されていない。本発明の具体的な実施形態およびその他の実施形態のさまざまな変更および組み合わせは、説明を参照することで当業者に明らかとなろう。したがって、添付の特許請求の範囲は、あらゆるそのような変更または実施形態を包含することが意図される。
【図１Ａ】
0006438129.tif 000008
【図１Ｂ】
0006438129.tif 000009
【図１Ｃ】
0006438129.tif 000010
【図１Ｄ】
0006438129.tif 000011
【図１Ｅ】
0006438129.tif 000012
【図２Ａ】
0006438129.tif 000013
【図２Ｂ】
0006438129.tif 000014
【図２Ｃ】
0006438129.tif 000015
【図２Ｄ】
0006438129.tif 000016
【図２Ｅ】
0006438129.tif 000017
【図２Ｆ】
0006438129.tif 000018
【図２Ｇ】
0006438129.tif 000019
【図２Ｈ】
0006438129.tif 000020
【図３Ａ】
0006438129.tif 000021
【図３Ｂ】
0006438129.tif 000022
【図３Ｃ】
0006438129.tif 000023
【図３Ｄ】
0006438129.tif 000024
【図４】
0006438129.tif 000025
【図５】
0006438129.tif 000026
【図６】
0006438129.tif 000027
【図７】
0006438129.tif 000028
【図８】
0006438129.tif 000029
【図９Ａ】
0006438129.tif 000030
【図９Ｂ】
0006438129.tif 000031
【図９Ｃ】
0006438129.tif 000032
【図９Ｄ】
0006438129.tif 000033
【図９Ｅ】
0006438129.tif 000034
【図９Ｆ】
0006438129.tif 000035
【図９Ｇ】
0006438129.tif 000036
【図９Ｈ】
0006438129.tif 000037
【図９Ｉ】
0006438129.tif 000038
【図１０】
0006438129.tif 000039
【図１１】
0006438129.tif 000040
【図１２Ａ】
0006438129.tif 000041
【図１２Ｂ】
0006438129.tif 000042
【図１２Ｃ】
0006438129.tif 000043
【図１２Ｄ】
0006438129.tif 000044
【図１２Ｅ】
0006438129.tif 000045
【図１２Ｆ】
0006438129.tif 000046
【図１２Ｇ】
0006438129.tif 000047
【図１２Ｈ】
0006438129.tif 000048
【図１３】
0006438129.tif 000049
【図１４】
0006438129.tif 000050